(57)【要約】【課題】携帯無線からの呼び出しの後に起動し、携帯無線を持つユーザーがステーションの電話番号を知る必要がない、双方向性のマルチメディアステーションを提供する。【解決手段】モバイルオフィスの設備を携帯端末（ＴＭ）を持つユーザーに提供する双方向性のマルチメディアステーション（ＢＮ）を起動するために、端末が無線電話である場合、携帯端末（ＴＭ）はステーション（ＢＮ）に近接するその存在を特定地域の無線リンクによりステーション自体へ、又はショートメッセージにより管理サーバ（ＳＢ）へ信号伝達する。端末の識別子はステーション（ＢＮ）から管理サーバ、又は無線電話ネットワーク（ＲＲ）の位置記録装置に送信され、識別子の認証後ステーションが起動する。【選択図】図５
2004504743.tif 000002
【特許請求の範囲】
【請求項１】
携帯端末（ＴＭ）がステーション（ＢＮ）の近くにあるとき、前記携帯端末（ＴＭ）が電気通信網（ＲＴ）に接続する管理手段（ＳＢ、ＨＬＲ）又は前記ステーション（ＢＮ）自身に信号を送り（Ｅ１；Ｓ１−Ｓ５）、及び前記携帯端末の識別子（ＩＤ、ＭＳＩＳＤＮ）を前記ステーション（ＢＮ）から前記管理手段（ＳＢ、ＨＲＬ）へ送信し（Ｅ３：Ｓ６−Ｓ１１）、前記管理手段が前記携帯無線端末（ＴＭ）の識別子を認証したとき、前記ステーションが前記管理手段により起動することを特徴とする、前記携帯電話端末（ＴＭ）から、前記電気通信網（ＲＴ）に接続する双方向性のステーション（ＢＮ）を起動する方法。
【請求項２】
前記携帯端末（ＴＭ）が前記電気通信網（ＲＴ）に接続する無線電話ネットワーク（ＲＲ）内の携帯無線電話端末であって、前記携帯端末の信号伝達が、
前記端末の識別子（ＭＳＩＳＤＮ）及び位置領域識別子（ＬＡＩ）を含むショートメッセージ（ＳＭ１）を前記無線電話ネットワークから前記管理手段（ＳＢ）へ送信し（Ｅ１）、
前記位置領域内の前記端末（ＴＭ）の位置を確認し（Ｅ２１）、
前記管理手段内で位置確認された端末（ＴＭ）に最も近い双方向性のステーションの少なくとも１つを検索し（Ｅ２２）、
前記最も近いステーション（ＢＮ）の位置座標（ＣＢＮ）を前記管理手段から前記端末に送信して（Ｅ２３）前記ステーションの位置を表示し（Ｅ２４）、
メッセージ（ＭＥ４）を前記管理手段から前記最も近いステーションに送信し、前記端末の識別子（ＭＳＩＳＤＮ）を入力するよう指示する（Ｅ３１）という工程を含むことを特徴とする、請求項１に記載の方法。
【請求項３】
前記管理手段（ＳＢ）が前記端末（ＴＭ）の位置（ＣＴＭ）に最も近い複数のステーション（ＢＮ）の位置座標（ＣＢＮ）を送信する（Ｅ２３）ことを特徴とする、請求項２に記載の方法。
【請求項４】
前記携帯電話端末（ＴＭ）が前記無線電話ネットワーク（ＲＲ）の基地局（ＢＴＳ）の地理的座標（ＣＴＭ）の関数として位置確認され、前記端末が前記基地局に対応するセル識別子（ＣＩ）をショートメッセージ（ＳＭ１）に取り入れ、前記無線電話ネットワークと通信することを特徴とする、請求項２又は請求項３に記載の方法。
【請求項５】
前記携帯端末（ＴＭ）が前記無線電話ネットワーク（ＲＲ）のスイッチ（ＭＳＣ）内の基地局（ＢＴＳ）の三角形により、又は基地局（ＢＴＳ）の三角形、すなわち地理的座標（ＣＴＭ）を前記ショートメッセージ（ＳＭ１）に取り入れる前記端末（ＴＭ）の全地球衛星測位システムにより位置確認される（Ｅ２１）ことを特徴とする、請求項２又は請求項３に記載の方法。
【請求項６】
最初に前記端末（ＴＭ）及び前記双方向性のステーション（ＢＮ）に対し、特定地域の無線受信可能領域を有する無線電気リンク（ＬＲＡ）を用いてデータ交換する手段（ＭＲＢ、ＩＲＡ）をそれぞれ提供することを含み、前記携帯端末の信号伝達が、
前記ステーション（ＢＮ）の前記無線受信可能領域内の携帯端末の存在を定期的に探査し（Ｓ１）、
前記受信可能領域内の端末の存在について前記端末から前記ステーションに信号を送って（Ｓ２−Ｓ５）、前記端末がアクセスプロファイルの型を公表し、及び
メッセージを前記ステーション（ＢＮ）から前記端末（ＴＭ）に送信し（Ｓ６−Ｓ８）、前記端末に前記端末の識別子（ＭＳＩＳＤＮ、ＩＤ）を前記ステーションを通じて前記管理手段（ＳＢ、ＨＲＬ）に送信するよう指示する（Ｓ９−Ｓ１０）という工程を含むことを特徴とする、請求項１に記載の方法。
【請求項７】
前記携帯端末（ＴＭ）がデュアルモード端末であって、前記電気通信網（ＲＴ）と接続する無線電話ネットワーク（ＲＲ）と無線電話通信するための端末、又は周波数帯域が前記無線電話ネットワーク（ＲＲ）のそれより好ましくは高い前記無線リンク（ＬＲＡ）を用いて前記ステーション（ＢＮ）と通信するための端末であることを特徴とする、請求項６に記載の方法。
【請求項８】
前記管理手段が前記無線電話ネットワーク（ＲＲ）の家庭位置確認手段（ＨＬＲ）の少なくとも一部に含まれることを特徴とする、請求項７に記載の方法。
【請求項９】
前記無線リンク（ＬＲＡ）が複数の携帯端末（ＴＭ）と前記ステーション（ＢＮ）間の複数の電話通信チャンネルを同時に支持することを特徴とする、請求項６から請求項８のいずれかに記載の方法。
【請求項１０】
前記無線リンク（ＬＲＡ）が複数の携帯端末（ＴＭ１からＴＭＩ）及び前記ステーション（ＢＮ）間の複数のデータチャンネルを支持することを特徴とする、請求項６から請求項９のいずれかに記載の方法。
【請求項１１】
前記管理手段（ＳＢ）が複数のステーション（ＢＮ）の管理及び前記ステーションを介してアクセスできる所定のサービスにアクセスする各携帯端末（ＴＭ）の権利と一致するユーザープロファイル（ＰＵ）の管理専用であることを特徴とする、請求項１から請求項１０のいずれかに記載の方法。
【請求項１２】
前記管理手段（ＳＢ、ＨＬＲ）による前記端末の識別子の認証後、前記端末の認証された識別子（ＭＳＩＳＤＮ）に関連し前記管理手段（ＨＬＲ、ＳＢ）から送信されるユーザープロファイル（ＰＵ）によって前記ステーション（ＢＮ）の機能を個人化（Ｐ）することを含むことを特徴とする、請求項１から請求項１１のいずれかに記載の方法。
【請求項１３】
前記ステーション（ＢＮ）の機能の個人化（Ｐ）の前に前記管理手段（ＳＢ、ＨＬＲ）により前記端末（ＴＭ）のユーザーを認証することを含むことを特徴とする、請求項１２に記載の方法。
【請求項１４】
前記認証が前記ステーションのカード読み取り器（ＬＣ）に挿入されたユーザーのＩＤカードから暗号を読み取ること、又は前記ステーションのバイオメトリックセンサ（ＣＢ）を介してユーザーのバイオメトリックプリントを読み取ることを含むことを特徴とする、請求項１３に記載の方法。
【請求項１５】
請求項１から請求項１４のいずれかに記載の起動方法による携帯無線端末（ＴＭ）から起動される手段（ＣＰＵ、ＭＡ、ＭＤ、ＩＬ、ＩＲＡ）を含むことを特徴とする、少なくとも表示手段（ＥＣ、ＣＤＶ）を含む双方向性のステーション。
【請求項１６】
キーパッド（ＣＬ）及び／又は音声認識手段（ＭＰ、ＣＤＡ）を含み、端末の識別子（ＭＳＩＳＤＮ）を特に前記管理手段（ＳＢ、ＨＬＲ）に送信することを特徴とする、請求項１５に記載のステーション。
【請求項１７】
前記ステーションに含まれるオーディオ手段（ＭＰ、ＨＰ）の指向性を調節する手段（ＲＤ、ＣＤＡ、ＣＬ）を含むことを特徴とする、請求項１５又は請求項１６に記載のステーション。
【請求項１８】
特定地域の無線受信可能領域を提供する無線リンク（ＬＲＡ）を用いて少なくとも１つの携帯端末（ＴＭ）とデータ交換する手段（ＩＲＡ）を含むことを特徴とする、請求項１５から請求項１７のいずれかに記載のステーション。
【請求項１９】
特に前記携帯端末（ＴＭ）のユーザーを認証するためにＩＣカード読み取り器（ＬＣ）又はバイオメトリックセンサ（ＣＢ）を含むことを特徴とする、請求項１５から請求項１８のいずれかに記載のステーション。
【発明の詳細な説明】
【０００１】
【発明の属する技術分野】
本発明は、一般に携帯無線端末による双方向性のマルチメディアステーションの起動に関する。
【０００２】
【従来の技術】
現在、携帯無線端末は主に電話として使用されている。端末のキーパッド上のキーの限られた数とキーパッドを使用するための事実上恒久的なリコースはサーバの情報又はメッセージを調べるといったアプリケーションに対していくぶん人間工学的ではない端末を利用する。さらに、メッセージの表示は端末の小さいサイズの画面に制限される。例えば、携帯電話端末による映像電話技術にとって、端末の小さいサイズの画面は使用されるのに難しいと思われる。さらに、よく知られているように、無線電話ネットワークにおける送信チャネル帯域幅は狭く、携帯端末との通信を、特にデータ又は映像に対して比較的低いビットレートに制限する。
【０００３】
さらに、電気通信サービスは専用の街頭端末、例えばＰｕｂｌｉｐｈｏｎｅｓ（登録商標）を経由して利用できる。それらの街頭端末が例えばデータベース、具体的にはタクシー会社の電話番号、ホテルのリスト及び天気予報といった特定地域のサービスに関連するデータベースを調べる新しいサービスを次第に充実させているにもかかわらず、それらは基本的に電話専用である。またしても、これら専用の街頭端末は低いビットレートで制限され、そのビットレートでデータが端末に送信される。
【０００４】
さらに、それぞれ街頭端末に装備する受話器の存在が、たいていのユーザーによりいくぶん非衛生的に見られている。
【０００５】
従って、上記欠点を克服する手段を提供する必要があるが、それはモバイルユーザーに単純な携帯無線電話端末により提供される機能以上に人間工学的であるが、その機能にアクセスするためにその携帯無線電話端末を使用する機能を提供する。
【０００６】
特許出願ＷＯ９８／３６５５２は、携帯無線電話端末を持つユーザーが情報表示装置を利用できるような提案をしている。その情報表示装置はユーザーのインターフェース装置と直接に又は文字又は他の映像情報を送信するサーバを経由して接続される。ユーザーのインターフェース装置は、携帯無線電話端末から端末が含まれる端末の無線電話ネットワークを経由してコマンドを受け取り、携帯端末により表示装置に送信されるコマンドを識別し、コマンドをサーバに送信して表示装置に表示する情報を選択する。コマンドは携帯無線電話端末のキーパッドから、又は携帯端末により認識される口頭のコマンド形式で表示装置に送信される。
【０００７】
先ほど引用した特許出願に開示されている表示装置は携帯無線電話端末を有するユーザーにのみ使用されうる。任意のユーザーが表示装置を使用することはできない。表示装置がキーパッドといった直接制御する手段を有しないからである。ユーザー及び表示装置間の相互関係は完全に目に見えるものである。
【０００８】
表示装置にアクセスするためには、携帯無線電話端末を持つユーザーは表示装置のところまで行かなければならない。表示装置は使用中でないときはいつでも特定の電話番号を表示し、それによりユーザーは端末のキーパッド上で電話番号を入力する。ユーザーのインターフェース装置は、表示装置の電話番号への電話呼び出しに、コマンドを送信してサーバとの対話を初期化する視点で表示装置を認識する方法で答える。
【０００９】
この表示装置の起動には、ユーザーによる表示装置の電話番号の知識及び従って表示装置の場所の事前の知識が要求され、続いて表示装置に向き合う場所にユーザーが移動して、表示装置上の電話番号を読むことができる事が要求される。実際、モバイルユーザーがすばやく表示装置まで行くことは、特に表示装置の場所が知られていない領域にモバイルユーザーが位置する場合、不可能である。
【００１０】
【発明が解決しようとする課題】
本発明は双方向性のマルチメディアステーションを提供することを主目的とし、それは携帯無線からの呼び出しの後に起動され、携帯無線を持つユーザーはステーションの電話の呼出し番号を知る必要がない。
【００１１】
【課題を解決するための手段】
従って、電気通信網に接続する双方向性のステーションを携帯無線端末から起動する方法は、携帯端末がステーションに近接する際に電子通信網と接続する管理手段又はステーション自体へ信号を送ること、及び携帯端末の識別子をステーションから管理手段まで送信し、管理手段が携帯無線端末の識別子を認証するとき、ステーションが管理手段によって起動することを特徴とする。
【００１２】
ステーションの起動について、端末を持つユーザーがステーションの無線電話番号又はアドレスを知る必要はない。例えば、ユーザーは自分の端末のメインメニューの項目を選択すれば十分であり、最も近いステーションを方向付ける又はステーションと直接通信できる。
【００１３】
本発明の背景において、携帯無線端末は携帯電話端末、又は短距離の無線を発信−受信する手段が提供される持ち運びのできるマイクロコンピュータ又はＰＤＡ型の任意の他の持ち運びのできるもの、又は電話と短距離の無線電話を併合するデュアルモード携帯端末でありうる。
【００１４】
第１の実施形態において、携帯端末は電気通信網に接続する無線電話ネットワークの携帯無線電話端末である。本実施形態は、無線電話ネットワークの地上環境及び特にそのショートメッセージサービスを使用する。携帯端末の信号伝達は、
端末の識別子及び位置領域識別子を含むショートメッセージを無線電話ネットワークから管理手段へ送信し、
位置領域内の端末の所在を突き止め、
管理手段内で位置確認された端末に最も近い双方向性のステーションの少なくとも１つを検索し、
最も近いステーションの位置座標を管理手段から端末に送信して、ステーションの場所を表示し、
メッセージを管理手段から最も近いステーションへ送信し、端末の識別子を入力するよう指示するという工程を含む。
【００１５】
第２の実施形態において、最初に携帯端末及び双方向性のステーションに、例えば２０〜３０メートルの特定地域の無線受信可能領域を有する無線電気リンクを用いてデータ交換する手段をそれぞれ提供する。携帯端末の信号伝達は、
定期的に携帯電話端末の存在をステーションの前記無線受信可能領域内で探査し、
受信可能領域内の端末の存在を端末からステーションに信号伝達して、端末がアクセスプロファイルの型を公表し、
メッセージをステーションから端末に送信して、端末に端末の識別子をステーションを通じて管理手段に送るように指示するという工程を含む。
【００１６】
第２の実施形態の第１の変形において、携帯端末はデュアルモード端末であって、それは電気通信網に接続する無線電話ネットワークと無線電話通信するため又は周波数帯域が無線電話ネットワークのそれより好ましくは高い前記無線リンクを用いてステーションと通信するための端末である。
【００１７】
管理手段は携帯電話ネットワークの家庭用の名目上の位置確認手段の少なくとも一部に含まれうる。
【００１８】
第２の変形において、携帯端末は２０〜３０メートルの範囲の短距離無線端末であって、例えばＰＤＡ又は持ち運びできるマイクロコンピュータのようなものである。
【００１９】
その型にかかわらず、管理手段による端末の識別子の認証に続いてステーションは起動されるが、それは端末の認証された識別子に関連し管理手段から送信されるユーザープロファイルによるステーションの機能の個人化という機能として起動する。管理手段はステーションを管理し電気通信網に接続する携帯電話ネットワーク又はサーバの家庭位置レジスタとなりうる。
【００２０】
好ましくは、管理手段による端末を持つユーザーの認証は、ステーションの機能の個人化の前に提供される。
【００２１】
本発明によるステーションは双方向性の電気通信サービスをステーションの前に立つ任意のユーザーに配信する。ステーションは従来のステーションのように直接的に、又は携帯端末を経由してユーザーにアクセスできる。提供されるサービスの範囲は特に標準電話とテレビ電話サービス及びサーバ、具体的にはインターネット及び電子メールサーバの相談に及ぶ。上記リストは包括的なものではなく、電気通信網上で利用できる新たなサービスを付加することにより広がりうる。
【００２２】
ステーションの使用は主として具体的に電気通信サービスにアクセスしたいと願うモバイルユーザーの要求に応えるものであり、その電気通信サービスとは、例えばユーザーが会社で役に立つものと同等又はそれと比較してさらに質的に向上したものである。
【００２３】
従って本発明は少なくとも表示手段を含む双方向性のステーションに関し、本発明の方法により携帯無線端末から起動される手段を含むことを特徴とする。
【００２４】
携帯無線端末ユーザーにとって、ステーションは双方向性の端末としての役目を果たす。その双方向性の端末は、携帯端末により提供されるものと比較してさらに大きく改良された人間工学的な特徴を伴った広い範囲のサービスを提供する。従って、情報サーバの相談はステーションの使用により携帯端末と比較して特に改良されている。ユーザーは見慣れた環境という利益を有する。双方向性は、第１にタッチセンシティブスクリーン上のキーを使用すること、第２にマイクロコンピュータのような標準スクリーンにより提供される機能を、改良することにより再現したスクリーンの品質のおかげで自然になった。この人間工学的特徴はステーションに含まれるオーディオ手段の指向性を調節する手段によりさらに改良される。
【００２５】
ステーションは、高いビットレートでの電気通信網へのアクセスを提供し、それは高い情報ビットレートを必要とするサービスを変更するのに適合する。様々な電気通信網へのアクセスは決して特定用途のためではない。従って、ステーションは新しいサービスの有効性及びユーザーの期待に応じて新しいサービスを受け入れることができる。
【００２６】
電気通信サービスを提供することに加え、ステーションは復合的な使用端末のようにふるまう。一方では、このステーションは電気通信サービスのための固定知的端末の役割を果たすが、また広告又は特定地域の興味を起こさせる情報を表示しうる。この第２の機能はステーションがユーザーによって起動されていないときでも利用できる。
【００２７】
本発明の他の特徴及び利点は対応する添付の図面に関連して、以下の本発明のいくつかの好ましい実施形態の記述を読むことによってさらに明らかとなる。
【００２８】
【発明の実施の形態】
本発明による双方向性のマルチメディアステーションＢＮの完全な実施形態は、ユーザーに見えるステーションの設備に関しては図１で、ステーションの内側の機能的な構造に関しては図２で図式的に示されている。
【００２９】
図１に示されるように、聴視覚手段が壁、例えばキオスクの壁、ビルの外壁又は家屋の内壁と一体化されうる。例えば、ステーションは駅、ショッピングモール、ホテル、郵便局などの混雑した場所に設置される。聴視覚手段は少なくとも１つの指向性送話器ＭＰ及び少なくとも１つの指向性拡声器ＨＰを含むオーディオ手段と、基本的にタッチセンシティブキーパッドＣＬを伴う表示装置スクリーンＥＣとカメラＣＡを含む映像手段を含む。キーパッドは好ましくは、ステーションのスクリーン上のメニューから選択できるナビゲーションキー又は「トラックボール」のような制御ボールと関連する。
【００３０】
オーディオ手段ＭＰ及びＨＰは指向性を持つので、ステーションＢＮの前に立つユーザーとこのステーションとの間で個々の対話ができる。電話通信の場合、ステーションのオーディオ手段が活性状態のとき、ユーザーは会話の秘密性に敏感である。従って低い音量でのみ聞くことができうる。ステーションＢＭは好ましくは、指向性調節回路ＲＤを含む。それはオーディオ手段ＭＰ及びＨＰの指向性を、ユーザーの身体的特徴、具体的にはユーザーの大きさ及びステーションの前の位置の関数として調節する。オーディオ手段の指向性はキーパッドＣＬのキーにより又は送話器ＭＰから送信される音声コマンドを検知する音声認識手段により調節される。
【００３１】
スクリーンの表示装置ＥＣはパソコンの高解像度の表示装置と同様で、立体的にはっきりと画像を示す。キーパッドＣＬのキーは、スクリーン上の画像表示を調節するのに使用される。カメラＣＡは、ステーションの前に立つユーザーの画像を取得してそれらを離れた相手方に送信し、従ってステーションをテレビ電話として使用する。
【００３２】
図１にも示されるように、ステーションＢＮは随意的にユーザー認証手段を含む。それはマイクロコントローラカードとしても知られ、接触又は非接触で、例えばテレホンカード、銀行カード又は電子財布といったＩＣカードを読み取る読み取り器ＬＣである。ユーザー認証手段は随意的に、カード読み取り器ＬＣに加えて又はその代わりにバイオメトリックセンサＣＢ、例えば指紋センサ又は虹彩センサを含む。ステーションは好ましくはさらにプリンタＩＭを装備し、それによりユーザーはスクリーンページのハードコピーを持っていくことができる。
【００３３】
従ってステーションはユーザーが携帯用の無線端末を持っているいないにかかわらず、復合的な双方向性の機能をユーザーに提供し、ＯＡ端末の機能及び人間工学的特徴を再現する。
【００３４】
図２に示されるように、ステーションＢＮは中央演算処理装置ＣＰＵの周りに組織化される。ＣＰＵは少なくとも１つのプロセッサを含み、それは内部のシステムバスＢＩにより、特に本発明によるステーションを起動し個人化するアプリケーションを含むＥＥＰＲＯＭ又はＳＲＡＭ型の非揮発性メモリＭＡと、特にキーパッドＣＬ、回線インターフェースＩＬ、及び無線インターフェースＩＲＡを経由してサーバ及び携帯端末を含むステーションの外の世界と交換されるデータを保存するＲＡＭ型のデータメモリＭＤに従来どおり接続する。内部のバスＢＩはまた、タッチセンシティブキーパッドＣＬ、カード読み取り器ＬＣ、バイオメトリックセンサＣＢ、プリンタＩＭ及びインターフェースＩＬ及びＩＲＡを供給する。中央演算装置ＣＰＵは従って、バスＢＩにより表示装置映像符号化−復号化回路ＣＤＶに接続し、映像符号化−復号化回路ＣＤＶはインターフェースＩＬ及びオーディオ符号化−復号化回路ＣＤＡと直結し、オーディオ符号化−復号化回路ＣＤＡはインターフェースＩＬ及びＩＲＡと直結する。
【００３５】
回線インターフェースＩＬはステーションＢＮを伝送回線ＬＧと接続し、回線ＬＧに関連する特定地域のネットワーク交換の終わりと一致する。例えば、回線インターフェースＩＬは従来通りモデム、好ましくは音声及び画像データをデジタル処理で多重送信する高速モデム、ＩＳＤＮ（総合デジタル通信網）モデム又はＡＤＳＬ（非対称デジタル加入者回線）モデムを含む。
【００３６】
本発明の第２の実施形態に適合するステーション用の無線インターフェースＩＲＡはアンテナＡＮを有し、それによりユーザーの少なくともひとつの携帯無線端末ＴＭ、例えば無線送受信モジュールＭＲＢが取り付けられているデュアルモード携帯電話、電子手帳ＰＤＡ、又は携帯用マイクロコンピュータと短距離の無線リンクＬＲＡにより接続できる。短距離の無線リンクＬＲＡは、特定地域の無線受信可能領域を提供し、通常はＤＥＣＴ（Ｄｉｇｉｔａｌ Ｅｎｈａｎｃｅｄ Ｃｏｒｄｌｅｓｓ Ｔｅｌｅｃｏｍｍｕｎｉｃａｔｉｏｎｓ）スタンダード、又はブルートゥース技術に適合する。それらの言及は以下に例としてあげられている。無線インターフェースＩＲＡは送受信された無線信号をアナログ方法及びデジタル方法で分割し、周波数を置き換え、変換する。
【００３７】
オーディオ符号化−復号化回路ＣＤＡは、送話器ＭＰで取り上げられたオーディオ信号をデジタル処理で符号化し、それらをインターフェースＩＬを経由して伝送回線ＬＧへ又はインターフェースＩＲＡを経由して無線リンクＬＲＡへ送信し、回線ＬＵ又はリンクＬＲＡから受信されたデジタル信号を復号し、それらを拡声器ＨＰに送信する。回路ＣＤＡはまた音声認識手段を含み、キーパッドＣＬを経由したコマンド入力の代わりに送話器ＭＰにより取り上げられたユーザーからの音声コマンドを符号化する。指向性調節回路ＲＤは、オーディオ符号化―復号化回路ＣＤＡと送話器ＭＰ及び拡声器ＨＰの組み合わせの間に接続される。
【００３８】
映像符号化−復号化回路ＣＤＶは主としてカメラＣＡから配信されたデジタル画像信号を圧縮し、圧縮画像信号をインターフェースＩＬを経由してユーザー回線ＬＧに送信し、逆にインターフェースＩＬを経由して回線ＬＧから受信した圧縮画像信号を解凍して、例えば遠隔の相手方の画像をスクリーンＥＣに表示する。回路ＣＤＶはまた、キーパッドＣＬ又は回路ＣＤＡによりスクリーン上の画像を表示するための調節にも加わる。後述されることであるが、例えばスクリーンＥＣはユーザーがステーションＢＮを経由して要求したサーバＳＤから出ていく情報を表示するのに使用される。
【００３９】
双方向性のマルチメディアステーションＢＮを起動する方法の第１の実施形態及び第２の実施形態の第１の変形は、一例として、携帯無線端末ＴＭが標準のＧＳＭ９００、ＤＣＳ１８００、又はＵＭＴＳ（全世界モバイル通信システム）携帯無線電話端末であるという想定のもとに以下記述されている。更なる具体性のため、これ以後の記述はＧＳＭ標準による携帯無線電話ネットワークＲＲのインフラ基盤を参照する。また、起動する間、端末ＴＭのユーザーが携帯端末ＴＭのオーディオ手段、送話器及びイヤホーンを使用し、それによりステーションＢＮがユーザーに図１に関連して最小の構造としてスクリーンＥＣ及びキーパッドＣＬを提供することを想定している。
【００４０】
図３に示される第１の実施形態において、ステーションＢＮはＳＭＳサービス（ショートメッセージサービス）により起動する。ショートメッセージサービスは携帯電話端末ＴＭと端末ＴＭのセルラー方式移動電話ネットワークＲＲの外側に存在するものとの間でショートメッセージを交換できる。外側の存在とは、ステーション管理サーバＳＢであって、それはセルラー方式無線電話ネットワークＲＲに関連するショートメッセージサーバＳＣ（ショートメッセージサービスセンター）の１つに接続する。
【００４１】
ショートメッセージサーバＳＣは少なくとも１つのモバイルサービススイッチＭＳＣと接続し、モバイルサービススイッチＭＳＣは、携帯電話ネットワークＲＲの固定ネットワークに直接又はＸ．２５又はＩＳＤＮ型中間ネットワークを経由して含まれる。
【００４２】
図３は図式的に及び一例として、ＧＳＭ電話ネットワークＲＲの主要手段を示しており、ＧＳＭ電話ネットワークＲＲは携帯無線電話端末ＴＭをいつでもショートメッセージサーバＳＣに接続する。主要手段は、無線電話リンクＬＲＴにより携帯電話端末ＴＭが現在位置する現在のセルを提供する現在の基地局ＢＴＳ、基地局制御装置ＢＳＣ及びすでに述べられたモバイルサービススイッチＳＭＣを含む。スイッチＭＳＣは訪問者の位置レジスタＶＬＲと関連し、訪問者の位置レジスタＶＬＲは、２〜３から２０〜３０のセルを含むネットワークＲＲの少なくとも１つの位置領域を管理し、その領域内のユーザーのプロファイルを一時的に保存する。
【００４３】
図３にも図式的に示される電気通信網ＲＴはステーションＢＮ、無線電話ネットワークＲＲの固定部分及びステーション管理サーバＳＢと接続する。ネットワークＲＴは一般に電気通信網は少なくとも図５に示されるような交換型電話ネットワークＲＴＣ及びインターネット型の高速ネットワークＲＨＤを含む電気通信網の一種を内蔵する。
【００４４】
ステーション管理サーバＳＢはステーションＢＮのアドレスＡＢＮを記載するデータベースを含むが、それは無線電話ネットワークＲＲが広がる領域内における画像座標ＣＢＮ、つまり緯度及び経度の関数として、もっと正確にいうとネットワークＲＲの位置領域の関数として含む。ステーション管理サーバＳＢはまた、ステーションＢＮのアドレスＡＢＮに関連して、最近、ステーションＢＮを使用したユーザーに関するユーザープロファイルＰＵも含む。
【００４５】
第１の実施形態において、携帯電話端末ＴＭからのステーションＢＮの起動は、基本的に３つの主要工程を含む。すなわち、初期化工程Ｅ１、携帯端末の位置確認工程Ｅ２、及び端末とステーションを接続する工程Ｅ３であり、各工程は、図４に示されるような下位工程を含む。
【００４６】
当業者には既知であるが、携帯電話端末ＴＭは非揮発性ＥＥＰＲＯＭがユーザーのプロファイルを保存する取り外し可能なユーザーＩＤカードＳＩＭ（加入者認証モジュール）を含み、それはモバイルユーザー国際番号ＭＳＩＳＤＮ（モバイルステーションＩＳＤＮ番号）、訪問者位置レジスタＶＬＲにより端末ＴＭに割り振られる一時的な識別子ＴＭＳＩ（一時的なモバイルステーション認証）、携帯端末ＴＭが一時的に位置し、スイッチＭＳＣに接続する基地局により広がるネットワークＲＲ内の位置領域識別子ＬＡＩ（位置領域認証）及びステーションサーバＳＢのアドレスＡＳＢを含む。ＳＩＭカードは本発明による双方向性のマルチメディアステーションＢＮの認証に関連するいかなる表示も含まない。
【００４７】
端末ＴＭからの双方向性のマルチメディアステーションの起動を要求するために、ユーザーは下位工程Ｅ１１において端末のキーパッド上の特定のキーを押す、又は主要メニューからマルチメディアステーション起動項目を選択する。この点に関してＳＩＭカードは積極的に携帯電話端末ＴＭの動作を初期化し、ＳＩＭアプリケーションツールキットとして知られる応答の際、簡約化した積極的なコマンドを構築する。
【００４８】
この起動要求の後、端末ＴＭは下位工程Ｅ１２でモバイルサービススイッチＭＳＣにショートメッセージＳＭ１を引き出して送信し、ショートメッセージＳＭ１は一時的な識別子ＴＭＳＩ又はモバイルユーザー番号ＭＳＩＳＤＮ形式の出所アドレス、ショートメッセージサーバＳＣのアドレスＡＳＣ形式及びステーションサーバＳＢのアドレスＡＳＢ形式の目的アドレス及び位置領域識別子ＬＡＩを含む。ユーザーのユーザープロファイルＰＵは、下位工程Ｅ１３においてメッセージＳＭ１に応答してレジスタＶＬＲ内で調べられ、一時的な識別子ＴＭＳＩがメッセージＳＭ１に含まれない場合にメッセージＳＭでユーザーの電話番号ＭＳＩＮ（モバイル加入者認証番号）又はＭＳＩＳＤＮ（モバイルステーションＩＳＤＮ番号）を受信する一時的な識別子ＴＭＳＩの代わりをし、ショートメッセージサーバアドレスＡＳＣを抽出してスイッチＳＭＣが少なくともパラメータＭＳＩＳＤＮ、ＡＳＢ及びＬＡＩを含む第２のショートメッセージＳＭ２を引き出す。
【００４９】
サーバアドレスＡＳＢは下位工程Ｅ１４において、ショートメッセージサーバＳＣにより受信されたメッセージＳＭ２から抽出され、番号ＭＳＩＳＤＮ及び位置領域識別子ＬＡＩを含むメッセージＭＥ１をステーションサーバＳＢに送信する。
【００５０】
主要工程Ｅ２において、ステーションサーバＳＢは識別子ＬＡＩにより識別される位置領域において端末ＴＭの位置確認を試み、端末ＴＭを持つユーザーを識別された位置領域内の最も近い双方向性のマルチメディアステーションＢＮのひとつに向けさせる。
【００５１】
位置確認工程の第１の変形において、ネットワークＲＲの各基地局はまた位置領域ＬＡにセル識別子ＣＩ（セル認証）を放送する。端末ＴＭはまた現在の基地局ＢＴＳに対応するセル識別子ＣＩをショートメッセージＳＭ１に取り入れる。現在の基地局ＢＴＳを提供するスイッチＭＳＣに関連するレジスタＶＬＲはセル識別子ＣＩを抽出し、それを現在の基地局ＢＴＳに対する緯度及び経度の地理的座標に合致させる。その地理的座標はこの第１の実施形態において端末ＴＭの近似の地理的位置座標ＣＴＭであると判断できる。座標ＣＴＭはまた、スイッチＭＳＣによりショートメッセージＳＭ２に、その後サーバＳＣによりメッセージＭＥ１に挿入され、ステーション管理サーバＳＢにより受信されたメッセージＭＥ１から抽出される。したがって、携帯端末ＴＭは現在のセルの識別子ＣＩの関数として位置し、そのセルに携帯端末は現在位置し、したがって携帯端末が通信する携帯電話ネットワーク基地局の地理的座標の関数として位置する。
【００５２】
位置領域ＬＡＩから受信される識別子を知ると、サーバＳＢはデータベースで位置領域内のステーションＢＮのリストを調べ、それらの地理的位置座標ＣＢＮと下位工程Ｅ２２ですでに決定された端末ＴＭの座標ＣＴＭと比較する。地理的座標ＣＢＮ及び／又は最も近いステーションＢＮのアドレスＡＢＮは下位工程Ｅ２３においてショートメッセージサーバＳＣにアドレス指定されるメッセージＭＥ３に取り入れられ、ショートメッセージサーバＳＣはショートメッセージ形式で端末ＴＭに転送する。その後下位工程Ｅ２４において、端末は座標ＣＢＮ及び／又は最も近いステーションのアドレスＡＢＮを表示する。実際、座標ＣＢＮはステーション及び端末の現地状況のレベルで表示される及び／又は表示されたアドレスＡＢＮはステーションＢＮが位置する番地、通り及び街を含み、及びアドレスＡＢＮ、おそらく一緒に電話番号又はインターネットネットワークにおけるステーションのＩＰアドレスも含む。
【００５３】
代案として、最も近いステーションＢＮの地理的座標及びアドレスを送信する代わりに、ステーション管理サーバＳＢがメッセージＭＥ２で端末ＴＭに最も近い２つか３つの双方向性のマルチメディアターミナルのアドレスといった位置座標を送信し、すべてのパラメータを表示してユーザーがステーションのうちの１つへ向かうまで残しておき、そのステーションを起動する。
【００５４】
位置確認工程の第２の変形において、携帯端末ＴＭは位置三角形により、すなわち現在の基地局を含む認証された位置領域において３つの隣接する基地局のそれぞれの信号出力及び伝達時間を測定することにより位置確認される。３つの基地局は、現在の基地局に関連するリストから選択され、端末の呼び出しを維持するのに十分なレベルの出力を有する。端末及び３つの選択された基地局間の距離は現在のステーションが依存するスイッチＭＳＣ内で計算される。この方法でスイッチＭＳＣで緯度及び経度が決定された携帯端末ＴＭの地理的位置座標ＣＴＭは、下位工程Ｅ１４とＥ２２間の下位工程Ｅ２１においてステーション管理サーバＳＢがメッセージＭＥ２をスイッチＭＳＣと交換することにより要求及び収集される。
【００５５】
位置確認工程の第３の変形において、現在の基地局で携帯端末ＴＭを地理的に位置確認する代わりに、携帯端末ＴＭそれ自体が三角形により、すなわち携帯端末ＴＭが現在の基地局及び２つの隣接する基地局から受信する出力レベルを測定することによりその位置を決定する。それら基地局は最も高い出力レベルを有し、３つの基地局の地理的座標を収集する。それは現在の基地局により定期的に送られる所定のチャンネル、例えばＧＳＭ標準によるチャンネルＢＣＣＨ（ブロードキャストコントロールチャンネル）上の位置領域ＬＡの基地局の地理的座標を定期的に広めるおかげである。この変形において、下位工程Ｅ１２で端末ＴＭは地理的座標ＣＴＭをショートメッセージＳＭ１に取り入れる。下位工程Ｅ１４において、ステーションサーバＳＢはメッセージＭＥ１から位置領域識別子ＬＡＩとともに端末の座標ＣＴＭを抽出し、下位工程Ｅ２２において端末ＴＭに最も近いステーションを検索し、それに下位工程Ｅ２３及びＥ２４が続く。
【００５６】
位置確認工程の第４の変形において、端末ＴＭの地理的座標ＣＴＭはＧＰＳシステム（全地球測位システム）として知られる静止衛星誘導システムという手段で決定され、それは携帯端末ＴＭに組み入れられる。そのシステムも地理的座標ＣＴＭを提供し、それにより端末ＴＭそれ自体が工程Ｅ１２においてメッセージＳＭ１に地理的座標ＣＴＭを取り入れる。従って、それは位置確認工程の第３の変形として処理される。
【００５７】
位置確認工程の上記すべての変形において、認証領域ＬＡにステーションが位置しない場合、サーバＳＢはエラーメッセージをサーバＳＣを経由して端末ＴＭに送信し、少なくとも１回起動要求を繰り返す又はユーザーに少なくとも１つの双方向性のマルチメディアステーションを含むような領域に移動するよう指示する。
【００５８】
下位工程Ｅ２４の後、ステーション管理サーバＳＢはユーザーに最も近いステーションで又は最も近いステーションのうちの１つで端末ＴＭの識別子をダイヤルするよう指示し、ダイヤルを指示するメッセージＭＥ４を起動していない、すなわちユーザーと双方向対話ができる最も近いステーションに送信する。メッセージＭＥ４の内容は、下位工程Ｅ３１でこれら端末のスクリーンＥＣ上に表示される。最も近いステーション又は最も近いステーションのうちの１つのタッチセンシティブキーパッドＣＬを使用して、ユーザーは下位工程Ｅ３２において端末の識別子、例えば電話番号ＭＳＩＳＤＮを入力する。その後、下位工程Ｅ３３において、ステーションＢＮは番号ＭＳＩＳＤＮを含むメッセージＭＥ５をステーションサーバＳＢに送信し、ステーションサーバＳＢは下位工程Ｅ３４においてその番号をすでに保存されメッセージＭＥ１から抽出された番号ＭＳＩＳＤＮと比較する。比較された２つの番号が同一である場合、ステーション管理サーバＳＢは識別子ＭＳＩＳＤＮを認証し、下位工程Ｅ３５においてステーション起動メッセージをステーションＢＮに送信し、それによりユーザーは以下に示されるユーザー認証及び端末の個人化の後、端末を使用することができる。
【００５９】
さもなければ、サーバＳＢはユーザーにもう一度ステーションＢＮのキーパッドＣＬ上への番号ＭＳＩＳＤＮの入力を指示し、番号を入力する試みが２，３度失敗に終わった後ステーションＢＮを起動しないまま保持する。
【００６０】
図２に示されるステーションＢＮの無線インターフェースＩＲＡは図４に関連してすでに記述された第１の実施形態によるステーションの起動の実行に使用されていない。従ってステーションは無線電話ネットワークＲＲ及びサーバＳＢにより起動され、携帯端末ＴＭへの直接のリンクを伴わない。
【００６１】
本発明によるステーション起動方法の第２の実施形態において、無線インターフェースＩＲＡはブルートゥース無線通信技術を使用する無線リンクＬＲＡを経由して、小さいブルートゥース無線発信−受信モジュールＭＲＢを含む携帯端末ＴＭと通信できる。モジュールＭＲＢは無線インターフェースと、表示部、キーパッド及びオーディオ回路を含む端末ＴＭのマンマシンインターフェースを共有するマイクロコントローラを含み、マイクロコントローラはネットワークＲＲとともに無線電話呼び出しを管理する。第２の実施形態の第１の変形において、端末ＴＭは、デュアルモード携帯無線電話端末であって、例えば、セルラー方式無線電話ネットワークＲＲ又は短距離の無線リンクＬＲＡを経由して通信できる、さもなければ、第２の実施形態の第２の変形において、持ち運びできるマイクロコンピュータ、個人用ステレオ又はＰＤＡといった携帯無線電話端末はモジュールＭＲＢを含み、短距離の無線リンクＬＲＡを経由してしか通信できない。短距離の無線リンクＬＲＡは、ＤＥＣＴ型又はブルートゥース型であって、後者の型は例として以下で言及される。
【００６２】
ブルートゥースモードは、専用キーを押すことにより又は端末のスクリーン上で表示されすでに言及された送信モードを含む主要メニューから項目を選択することにより携帯電話端末ＴＭで選択される。
【００６３】
ブルートゥース無線送信モードは、狭い周波数帯域の無線リンクと関係がある。その帯域は通常２．４５ギガヘルツの周波数に中心をもち、無線電話ネットワークＲＲに対する周波数帯域よりかなり高く、ステーションにより送信されるほぼ２０ｄＢｍの出力レベルに対して約５０又は１００メートルより少ない短距離の無線受信可能範囲を有する。ブルートゥースリンクＬＲはデジタル処理された音声データを含むデータを、例えば７２１ｋｂｉｔ／ｓのビットレートでステーションＢＮから端末ＴＭの下り回線を転送し、５７ｋｂｉｔ／ｓの低いビットレートで端末ＴＭからステーションＢＮへの上り回線を転送する。リンクＬＲＡは図５に図式的に示されるように、同時に復数の多重送信されたデータ通信デジタルチャンネルをステーションの近くに位置するＩ個の携帯電話端末ＴＭ１からＴＭＩとステーションＢＮ間の各送信方向に支持する。整数Ｉは通常７に等しい。さらに、Ｉ個のデジタルチャンネル、つまりＪ個の携帯端末とステーションＢＮ間の復数の電話通信チャンネルは、Ｊ＜Ｉであって、通常Ｊ＝３であるが、無線リンクＬＲＡにより同時に支持され、携帯端末とステーションＢＮを経由する切り換え型電話ネットワークＲＴＣ間の一斉の電話呼び出しを提供する。
【００６４】
ブルートゥースリンクＬＲＡの主な利点の１つは、直接、ステーションＢＮと短距離の無線リンクを経由して端末ＴＭ１とＴＭＩが通信できる能力であり、それはネットワークＲＲといった電気通信網を通過することなく、また赤外線通信のように、ステーションの可視の直接線をもうける必要がない。これにより、ステーションの前で携帯端末を移動できる。
【００６５】
ステーションＢＮを起動して、リンクＬＲＡのデジタルチャンネルの１つに、ＴＭ１からＴＭＩまでの携帯端末、以下ＴＭと表示、の１つで呼び出しを始めることが、図６及び図７に関連して以下に記述されている。この起動の間、局部的な装置としての役目を果たすステーションＢＮは接続に対して主導権を取るという点でマスターであり、携帯端末ＴＭは、遠隔装置、すなわちブルートゥース標準に適合する携帯用電子通信装置としての役目を果たし、スレーブである。起動の間、ステーションＢＮのスクリーンＥＣ及びタッチセンシティブキーパッドＣＬと携帯端末ＴＭを介してのユーザーとの間に相互作用は存在しない。
【００６６】
携帯無線端末ＴＭによるステーションＢＮの起動は工程Ｓ１からＳ９を含む。最初に、デジタル通信チャンネルの少なくとも１つが利用でき、ステーションＢＮが定期的に半径２０〜３０メートルの無線受信可能領域における携帯電話ＴＭの存在を探査し、端末ＴＭはブルートゥース送信モードを選択する。これは図６の工程Ｓ１に示されている。従って、ユーザーが端末ＴＭ上でブルートゥースモードを選択した場合、ステーションは定期的に問い合わせを送信し、端末がまだそこにいない場合、端末ＴＭがステーションＢＮの無線受信可能領域に入ったとたんにその存在を信号伝達する。その存在を信号伝達するために、端末は問い合わせに対する応答を、問い合わせを認識したらすぐに次の工程Ｓ２で送信する。続く工程Ｓ２からＳ５において、その後携帯端末ＴＭは、端末のブルートゥースモードに関連してマイクロコントローラに事前保存されメッセージプロトコルを画定するアクセスプロファイルに従いステーションＢＮと接続する。このアクセスプロファイル（包括的アクセスプロファイル）はステーションに公表され、ステーション及び端末間の呼び出しを調整する。ステーションＢＮのメモリＭＡは、すでにすべての端末のプロファイルを保存している。例えば、携帯端末が本当にコードレス電話である場合、そのプロファイルはコードレス電話にふさわしいものであり、この事例において、上記で定義されたデュアルモード無線電話端末は、携帯無線端末がマイクロコンピュータ又は電子手帳といった持ち運びできるものである場合であっても、プロファイルは例えばファイル同期化サービスに組み込まれる。従って、端末ＴＭはステーションを発見して起動する際、工程Ｓ２の検索モード（発見モード）であり、ステーションを経由して接続に対する要求を受け取る。
【００６７】
問い合わせに対する応答を受信する際、ステーションＢＮは工程Ｓ３において呼び出しメッセージを送信する。その後工程Ｓ４において、端末ＴＭがそのアクセスプロファイルの型を宣言する呼び出し応答を送信する。それは端末がプロファイルに従いステーションと接続を始めたい旨をステーションに確認するものである。次の工程Ｓ５において、ステーションＢＮは端末ＴＭが続いてデータメッセージを構成し送信するように送信指示（プール）メッセージを送る。
【００６８】
接続を構築しステーションＢＮと端末ＴＭ間でデータを転送する図６及び図７に示されるやりとりは、ＳＰＤサービス発見プロトコルを採用する。それはステーションの処理装置ＣＰＵ及び携帯端末ＴＭのブルートゥース無線モジュールＭＲＢを管理するマイクロコントローラで実行される。
【００６９】
図６に関連して記述されたリンク構築手続の後、端末ＴＭはデータをステーションＢＮに転送する。この転送のために、ステーション及び端末は包括的なオブジェクト交換プロファイル及びファイル転送プロファイルを支持し、端末からステーションへ１つ又はそれ以上のファイルを転送する。端末からの少なくとも１つのファイルはステーションへ転送され、ステーションにより提供されるサービスにアクセスする。
【００７０】
図７に示されるように、端末ＴＭからステーションへデータファイルを転送することは、次の工程Ｓ６、Ｓ７及びＳ８を含む。ステーションＢＮ及び端末ＴＭは、図６に示される構築手続の後は接続状態なので、ステーションＢＮは工程Ｓ６においてリンクＬＲＡを通じて端末ＴＭに接続要求を送信する。端末ＴＭはその後工程Ｓ７においてステーションが様々なパラメータの定義を含むデータ要求（ゲットリクエスト）の準備をするよう接続応答を送信する。そのパラメータは端末が再送信しなければならないもので、端末の識別子を含む。従って工程Ｓ８のデータ要求の応答において、端末ＴＭは要求された様々なパラメータと転送されるファイルのデータを含む応答メッセージを構築して送信する。
【００７１】
携帯端末ＴＭからステーションＢＮへ転送されるパラメータは、少なくとも端末ＴＭの読み取り専用メモリ内のユーザー識別ＩＤを含む。それは、携帯端末がデュアルモード無線電話端末である場合、ユーザー国際識別子ＩＭＳＩ（国際モバイル加入者認証）及び／又はユーザーの国際電話番号ＭＳＩＳＤＮと同様のものである。ユーザー識別ＩＤはユーザーと１つ又はそれ以上のサービスを画定するサービスプロファイルを合致させる。そのサービスに対しユーザーはステーションでのアクセスを要求し、ユーザーが双方向性のステーションを管理するオペレータと契約を取り決める際ユーザープロファイルＰＵに左右される。
【００７２】
工程Ｓ８における識別子ＩＤ、ＩＭＳＩ及びＭＳＩＳＤＮといったデータ送信指示に続き、ステーションＢＮは工程Ｓ９において端末ＴＭから識別子を受け取り、工程Ｓ１０において電気通信網ＲＴを経由して管理手段にアドレスＡＢＮとともにその識別子を再送信する。原則としてすべての端末に対し、管理手段は図３に関連してすでに記述されたステーション管理サーバＳＢから成る。しかしながら、無線電話端末に対するアクセスプロファイルをステーションに通信していた携帯電話端末に対しては、ステーションは代わりに識別子を無線電話ネットワークＲＲの家庭位置レジスタＨＬＲに再送信する。
【００７３】
ステーション管理サーバＳＢ又はレジスタＨＬＲは、この方法で識別された、好ましくは以下に説明される方法で認証されたユーザーがステーションＢＮを経由してサービスにアクセスする権利を有することを、第１の実施形態における工程Ｅ３４のように立証する。ステーションを経由して端末ＴＭから受け取られた識別子が正当であると確認すると、サーバＳＢ又はレジスタＨＬＲは工程Ｓ１１において起動メッセージをステーションＢＮに送信する。
【００７４】
図４に示される第１の実施形態の接続工程Ｅ３の後、又は図７に示される第２の実施形態のデータ転送工程Ｓ６からＳ１０の後、端末ＴＭを持つユーザーは、工程Ｅ３４、Ｓ１０で端末に取り付けられた識別子ＩＤ又はＩＭＳＩ又はＭＳＩＳＤＮを比較することに加え、例えばサーバＢＳ又はレジスタＨＬＲのユーザープロファイルＰＵにすでに保存され、第１の実施形態の工程Ｅ３２又は第２の実施形態の工程Ｓ９でステーションＢＮの読み取り器ＬＣに挿入されたＩＣカードから読み取られるユーザーのメモリカードの暗号といったユーザーのさらに個人化された識別子により認証される。同様に、携帯端末ＴＭを持つユーザーは、レジスタＨＬＲのユーザープロファイルＰＵにすでに保存されているバイオメトリックプリントをステーションＢＮのバイオメトリックセンサＣＢを経由して知覚されたユーザーのバイオメトリックプリントと比較することにより認証されうる。
【００７５】
認証に続き、ユーザーにより要求されたサービスの型を表すデータがサーバＳＢ又はレジスタＨＬＲによりステーションへ転送され、その機能を個人化する。ユーザーが第１の実施形態の工程Ｅ３４及び第２の実施形態の工程Ｓ１０において携帯端末ＴＭによりステーションＢＮに転送された識別子ＩＤ又はＭＳＩＳＤＮ又はＩＭＳＩにより識別されたことが呼び戻される。
【００７６】
その後ステーションＢＮの個人化Ｐは管理手段、すなわちステーション管理サーバＳＢ及び／又は無線電話ネットワークＲＲの家庭位置レジスタＨＬＲにより後押しされる。それは識別子が工程Ｅ３４又はＳ１１で認証された後のことである。具体的に、サーバＳＢ又はレジスタＨＬＲは識別子ＩＤ、ＩＭＳＩ又はＭＳＩＳＤＮにより認識されたユーザーが本発明による双方向性のマルチメディアステーションを使用する契約を取り決めることを認証し、ステーションＢＮにユーザーの合意に基づくユーザープロファイルＰＵを再送信し、ステーションを個人化する。
【００７７】
原則として、最も包括的な合意はステーションを双方向性の端末へと変化することに対応し、モバイルオフィスのすべての機能を提供する。
【００７８】
ステーションはユーザープロファイルＰＵで読み取られる個人化データに従い構成され、例えば
最も頻繁に呼ばれる相手方、つまり好ましいサイト、具体的にはインターネットサイト、最も頻繁に使用されるオフィスオートメーションアプリケーションなどへの「ショートカット」を含み、これら様々なサービスへのアクセスは、それぞれ例えば起動しているステーションＢＮのスクリーンＥＣ上のアイコンにより表示され、
ステーションＢＮで実行されるブラウザを経由して、又はブラウザを動かすアプリケーションを経由してアクセスできるお気に入りのアドレスＵＲＬ（ユニバーサル・リソース・ロケーター）のリスト、
電話ネットワーク上及び／又は専用ネットワーク又はインターネット上のすべての相手方のディレクトリと電話ネットワーク、専用ネットワーク又はインターネットとそれぞれ通信できるアプリケーションにより直接アクセスできるサブディレクトリ、
電子メールアドレスのディレクトリ及び
ユーザーの合意に基づくプロファイルＰＵにより認証されるオフィスオートメーションアプリケーションのリストを含む。
【００７９】
さらに、ステーションＢＮはメモリＭＤ内にユーザーが様々な書類、ファイル及び個人的なメッセージを保存する個人的なメモリスペースを保持する。これらは好ましくはツリー構造に組織化され、ユーザーが書類、ファイル又はメッセージをクリックするとそれを処理するための対応するアプリケーションがワードプロセッサ、表計算ソフトなどといった類似方法で立ち上がる。任意のオフィスオートメーションアプリケーションは好ましくはステーション専用サーバからステーションに、例えばアプリケーションの使用周波数の関数としてダウンロードされる、さもなければユーザーによりスイッチを切られるまでステーションにとどまる。
【００８０】
上述された構造に続き、ユーザーは自身のプロファイルにより画定されたステーション内の手段を使用し、選択され呼び出された端末ＴＤ又は選択され呼び出された情報サーバＳＤと通信する。
【図面の簡単な説明】
【図１】壁と一体化した本発明による双方向性のマルチメディアステーションの正面図である。
【図２】前述したすべての実施形態に有効なステーションの概略的なブロック図である。
【図３】本発明の第１の実施形態に適合するショートメッセージサーバ及びステーション管理サーバを経由する携帯無線電話端末とステーション間のリンクの概略的なブロック図である。
【図４】第１の実施形態に適合するステーションを起動するためのアルゴリズムを示している。
【図５】ステーションを起動するための本発明による第２の実施形態に適合する復数の携帯無線端末のステーションへのリンクの概略的なブロック図である。
【図６】ステーションを起動する本発明による方法の第２の実施形態に適合する接続を構築するアルゴリズムを示している。
【図７】ステーションを起動する本発明による方法の第２の実施形態に適合するデータ転送を要求するアルゴリズムを示している。
【符号の説明】
ＭＰ　指向性送話器
ＣＡ　カメラ
ＨＰ　指向性拡声器
ＢＮ　双方向性のマルチメディアステーション
ＬＣ　読み取り器
ＣＢ　バイオメトリックセンサ
ＩＭ　プリンタ
ＥＣ　表示装置スクリーン
ＣＬ　タッチセンシティブキーパッド
ＴＭ　携帯電話端末
ＬＧ　伝送回線
ＲＴ　電気通信網
ＡＮ　アンテナ
ＣＤＶ　映像符号化−復合化回路
ＩＬ　回線インターフェース
ＣＤＡ　オーディオ符号化−復合化回路
ＲＤ　指向性調節回路
ＬＲＡ　無線電気リンク
ＭＲＢ　無線送受信モジュール
ＭＡ　非揮発性メモリ
ＭＤ　データメモリ
ＢＴＳ　基地局
ＲＲ　無線電話ネットワーク
ＢＳＣ　基地局制御装置
ＨＬＲ　管理手段
ＭＳＣ　モバイルサービススイッチ
ＶＬＲ　位置レジスタ
ＭＥ１、ＭＥ２、ＭＥ３、ＭＥ４、ＭＥ５　メッセージ
ＳＣ　ショートメッセージサーバ
ＳＢ　ステーション管理サーバ
ＲＨＤ　インターネット型高速ネットワーク
ＲＴＣ　交換型電話ネットワーク
ＴＤ　端末
【図１】
2004504743.tif 000003
【図２】
2004504743.tif 000004
【図３】
2004504743.tif 000005
【図４】
2004504743.tif 000006
【図５】
2004504743.tif 000007
【図６】
2004504743.tif 000008
【図７】
2004504743.tif 000009
【国際公開パンフレット】
2004504743.tif 000010
2004504743.tif 000011
2004504743.tif 000012
2004504743.tif 000013
2004504743.tif 000014
2004504743.tif 000015
2004504743.tif 000016
2004504743.tif 000017
2004504743.tif 000018
2004504743.tif 000019
2004504743.tif 000020
2004504743.tif 000021
2004504743.tif 000022
2004504743.tif 000023
2004504743.tif 000024
2004504743.tif 000025
2004504743.tif 000026
2004504743.tif 000027
2004504743.tif 000028
2004504743.tif 000029
2004504743.tif 000030
2004504743.tif 000031
2004504743.tif 000032
2004504743.tif 000033
2004504743.tif 000034
2004504743.tif 000035
2004504743.tif 000036
2004504743.tif 000037
2004504743.tif 000038
2004504743.tif 000039
2004504743.tif 000040
2004504743.tif 000041
2004504743.tif 000042
2004504743.tif 000043
2004504743.tif 000044
2004504743.tif 000045
2004504743.tif 000046
2004504743.tif 000047
2004504743.tif 000048
2004504743.tif 000049
2004504743.tif 000050
2004504743.tif 000051
2004504743.tif 000052
【手続補正書】
【提出日】平成14年10月23日(2002.10.23)
【手続補正１】
【補正対象書類名】明細書
【補正対象項目名】全文
【補正方法】変更
【補正の内容】
【発明の詳細な説明】
【書類名】明細書
【発明の名称】双方向性のマルチメディアステーションの起動
【特許請求の範囲】
【請求項１】携帯端末（ＴＭ）と双方向性のステーション（ＢＮ）が特定地域の無線受信可能領域を提供する無線リンク（ＬＲＡ）の上でデータ交換する手段（ＭＲＢ、ＩＲＡ）をそれぞれ有し、前記ステーション（ＢＮ）が周期的に前記無線受信可能領域で前記携帯端末（ＴＭ）の存在を探査し、
前記特定地域の無線受信可能範囲内の前記端末の存在がステーションに信号伝達されたあとに、
アクセスプロファイルの型が前記携帯端末（ＴＭ）により前記ステーション（ＢＮ）に宣言され（Ｓ２−Ｓ４）、それにより前記アクセスプロファイルが前記ステーション及び前記携帯電話端末間の通信を調整し、
メッセージを前記ステーション（ＢＮ）から前記携帯端末（ＴＭ）に送信（Ｓ６−Ｓ８）して前記端末に前記端末の識別子（ＭＳＩＳＤＮ、ＩＤ）を前記ステーション（ＢＮ）に送るよう指示し（Ｓ９−Ｓ１０）、
前記携帯端末（ＴＭ）の識別子（ＩＤ、ＭＳＩＳＤＮ）を前記ステーション（ＢＮ）から管理手段（ＳＢ、ＨＬＲ）へ電気通信網を通じて送信し（Ｓ１０）、前記管理手段が前記携帯無線端末（ＴＭ）の識別子を認証したとき、前記ステーションが前記管理手段によって起動することを特徴とする、前記携帯無線端末（ＴＭ）から、電気通信網（ＲＴ）に接続する前記双方向性のステーション（ＢＮ）を起動する方法。
【請求項２】前記携帯端末（ＴＭ）がデュアルモード端末であって、前記電気通信網（ＲＴ）と接続する無線電話ネットワーク（ＲＲ）と無線電話通信するための端末、又は周波数帯域が前記無線電話ネットワーク（ＲＲ）のそれより好ましくは高い前記無線リンク（ＬＲＡ）を用いて
前記ステーション（ＢＮ）と通信するための端末であることを特徴とする、請求項１に記載の方法。
【請求項３】前記管理手段が前記無線電話ネットワーク（ＲＲ）の家庭位置レジスタ（ＨＬＲ）の少なくとも一部に含まれることを特徴とする、請求項２に記載の方法。
【請求項４】前記無線リンク（ＬＲＡ）が複数の携帯端末（ＴＭ）と前記ステーション（ＢＮ）間の複数の電話通信を同時に支持することを特徴とする、請求項１から請求項３のいずれかに記載の方法。
【請求項５】前記無線リンク（ＬＲＡ）が複数の携帯端末（ＴＭ１からＴＭＩ）及び前記ステーション（ＢＮ）間の複数のデータチャンネルを支持することを特徴とする、請求項１から請求項４のいずれかに記載の方法。
【請求項６】前記管理手段（ＳＢ）が複数のステーション（ＢＮ）の管理と前記ステーションを介してアクセス可能な所定のサービスにアクセスする各携帯電話端末（ＴＭ）の権利と一致するユーザープロファイル（ＰＵ）の管理専用であることを特徴とする、請求項１から請求項５のいずれかに記載の方法。
【請求項７】前記管理手段（ＳＢ、ＨＬＲ）による前記端末の識別子の認証後、前記端末の認証された識別子（ＭＳＩＳＤＮ）に関連し前記管理手段（ＨＬＲ、ＳＢ）から送信されるユーザープロファイル（ＰＵ）によって前記ステーション（ＢＮ）の機能を個別化（Ｐ）することを含むことを特徴とする、請求項１から請求項６のいずれかに記載の方法。
【請求項８】前記ステーション（ＢＮ）の機能の個別化（Ｐ）の前に前記管理手段（ＳＢ、ＨＬＲ）による前記端末（ＴＭ）のユーザーを認証することを含む請求項７に記載の方法。
【請求項９】前記認証が前記ステーションのカード読み取り器（ＬＣ）に挿入されたユーザーのＩＣカードから暗号を読み取ること、又は前記ステーションのバイオメトリックセンサ（ＣＢ）を介してユーザーのバイオメトリックプリントを読み取ることを含むことを特徴とする、請求項８に記載の方法。
【請求項１０】端末のアクセスプロファイルを保存して、特定地域の無線受信可能領域内の端末の存在がステーションに信号伝達された後に、携帯端末（ＴＭ）により前記ステーション（ＢＮ）に公表されたアクセスプロファイルが前記ステーションと前記携帯ステーション間の通信を調整する手段（ＭＡ）を含み、
前記ステーション内の無線対話手段（ＩＲＡ、ＣＰＵ）が、前記携帯端末（ＴＭ）にメッセージを送信して（Ｓ６−Ｓ８）前記端末に前記端末の識別子（ＭＳＩＳＤＮ、ＩＤ）を送信するよう指示し（Ｓ９−Ｓ１０）、
回線インターフェース手段（ＩＬ、ＣＰＵ）が前記携帯端末の識別子（ＩＤ、ＭＳＩＳＤＮ）を電気通信網（ＲＴ）を通じて管理手段（ＳＢ、ＨＬＲ）に送り、前記管理手段が前記携帯無線端末（ＴＭ）の識別子を認証した後、前記ステーションが前記管理手段により起動することを特徴とする、前記携帯無線端末（ＴＭ）から起動され、表示手段（ＥＣ、ＣＤＶ）、前記電気通信網（ＲＴ）に接続する回線インターフェース手段（ＩＬ）及び特定地域の無線受信可能領域を提供する無線リンク（ＬＲＡ）を用いて前記携帯端末とデータ交換を行う無線対話手段（ＩＲＡ、ＣＰＵ）を含み、前記無線受信可能領域内の前記携帯端末（ＴＭ）の存在を定期的に探査する（Ｓ１）双方向性のステーション。
【請求項１１】キーパッド（ＣＬ）及び／又は音声認識手段（ＭＰ、ＣＤＡ）を含み、端末の識別子（ＭＳＩＳＤＮ）を特に前記管理手段（ＳＢ、ＨＬＲ）に送信することを特徴とする、請求項１０に記載のステーション。
【請求項１２】前記ステーションに含まれるオーディオ手段（ＭＰ、ＨＰ）の指向性を調節する手段（ＲＤ、ＣＤＡ、ＣＬ）を含むことを特徴とする、請求項１０又は請求項１１に記載のステーション。
【請求項１３】特定の無線受信可能領域を提供する無線リンク（ＬＲＡ）を用いて少なくとも１つの携帯電話端末（ＴＭ）とデータ交換する手段（ＩＲＡ）を含むことを特徴とする、請求項１０から請求項１２のいずれかに記載のステーション。
【請求項１４】特に前記携帯端末（ＴＭ）のユーザーを認識するためにＩＣカード読み取り器（ＬＣ）又はバイオメトリックセンサ（ＣＢ）を含むことを特徴とする、請求項１０から請求項１３のいずれかに記載のステーション。
【発明の詳細な説明】
【０００１】
【発明の属する技術分野】
本発明は、一般に携帯無線端末による双方向性のマルチメディアステーションの起動に関する。
【０００２】
【従来の技術】
現在、携帯無線端末は主に電話として使用されている。端末のキーパッド上のキーの限られた数とキーパッドを使用するための事実上恒久的なリコースはサーバの情報又はメッセージを調べるといったアプリケーションに対していくぶん人間工学的ではない端末を利用する。さらに、メッセージの表示は端末の小さいサイズの画面に制限される。例えば、携帯電話端末による映像電話技術にとって、端末の小さいサイズの画面は使用されるのに難しいと思われる。さらに、よく知られているように、無線電話ネットワークにおける送信チャネル帯域幅は狭く、携帯端末との通信を、特にデータ又は映像に対して比較的低いビットレートに制限する。
【０００３】
さらに、電気通信サービスは専用の街頭端末、例えばＰｕｂｌｉｐｈｏｎｅｓ（登録商標）を経由して利用できる。それらの街頭端末が例えばデータベース、具体的にはタクシー会社の電話番号、ホテルのリスト及び天気予報といった特定地域のサービスに関連するデータベースを調べる新しいサービスを次第に充実させているにもかかわらず、それらは基本的に電話専用である。またしても、これら専用の街頭端末は低いビットレートで制限され、そのビットレートでデータが端末に送信される。
【０００４】
さらに、それぞれ街頭端末に装備する受話器の存在が、たいていのユーザーによりいくぶん非衛生的に見られている。
【０００５】
従って、上記欠点を克服する手段を提供する必要があるが、それはモバイルユーザーに単純な携帯無線電話端末により提供される機能以上に人間工学的であるが、その機能にアクセスするためにその携帯無線電話端末を使用する機能を提供する。
【０００６】
特許出願ＷＯ９８／３６５５２は、携帯無線電話端末を持つユーザーが情報表示装置を利用できるような提案をしている。その情報表示装置はユーザーのインターフェース装置と直接に又は文字又は他の映像情報を送信するサーバを経由して接続される。ユーザーのインターフェース装置は、携帯無線電話端末から端末が含まれる端末の無線電話ネットワークを経由してコマンドを受け取り、携帯端末により表示装置に送信されるコマンドを識別し、コマンドをサーバに送信して表示装置に表示する情報を選択する。コマンドは携帯無線電話端末のキーパッドから、又は携帯端末により認識される口頭のコマンド形式で表示装置に送信される。
【０００７】
先ほど引用した特許出願に開示されている表示装置は携帯無線電話端末を有するユーザーにのみ使用されうる。任意のユーザーが表示装置を使用することはできない。表示装置がキーパッドといった直接制御する手段を有しないからである。ユーザー及び表示装置間の相互関係は完全に目に見えるものである。
【０００８】
表示装置にアクセスするためには、携帯無線電話端末を持つユーザーは表示装置のところまで行かなければならない。表示装置は使用中でないときはいつでも特定の電話番号を表示し、それによりユーザーは端末のキーパッド上で電話番号を入力する。ユーザーのインターフェース装置は、表示装置の電話番号への電話呼び出しに、コマンドを送信してサーバとの対話を初期化する視点で表示装置を認識する方法で答える。
【０００９】
この表示装置の起動には、ユーザーによる表示装置の電話番号の知識及び従って表示装置の場所の事前の知識が要求され、続いて表示装置に向き合う場所にユーザーが移動して、表示装置上の電話番号を読むことができる事が要求される。実際、モバイルユーザーがすばやく表示装置まで行くことは、特に表示装置の場所が知られていない領域にモバイルユーザーが位置する場合、不可能である。
【００１０】
さらに、国際特許出願ＷＯ／００２８７６２は、第１の無線電話ネットワークを経由してすでに通信している携帯無線電話端末からの固定電話付きのデスクトップコンピュータに役立つ基地局への電話呼び出しを切れ目なく自動的にハンドオフするシステムについて記載している。基地局は屋内の局部的無線ネットワークに含まれ、そのネットワークはＩＳＤＮネットワークによる第１のネットワークと接続する。端末が基地局の周りの決められたオフィス領域に入ると、近接センサが携帯端末の存在を赤外線リンク又はその他の短距離のリンクによって知覚する。その後携帯端末は識別コードを特定地域のネットワーク内の基地局を経由して切り換えセンターに送信し、携帯端末の代わりにコンピュータに対し起こっている呼び出しを自動的にハンドオフし始める。逆に、端末が決定領域に残っている場合、呼び出しはコンピュータから端末にハンドオフされる。
【００１１】
【発明が解決しようとする課題】
本発明は携帯端末から固定端末への自動的な呼び出しのハンドオフに関するものではない。
【００１２】
本発明の主目的は、双方向性のマルチメディアステーションを提供することにあり、それは携帯無線端末からの呼び出しの後に起動され、携帯端末の型に合うように適合される。携帯無線を持つユーザーはステーションの電話呼び出し番号を知る必要はなく、携帯端末があらかじめ任意の遠隔端末の電話番号を引き出す必要もない。
【００１３】
【課題を解決するための手段】
従って、携帯無線端末から、電気通信網に接続する双方向性のステーションを起動する方法であって、携帯端末と双方向性のステーションが特定地域の無線受信可能領域を提供する無線リンクの上でデータ交換する手段をそれぞれ有し、ステーションが周期的に前記無線受信可能領域で携帯端末の存在を探査するというステーションの起動方法は、無線受信可能領域内の端末の存在がステーションに信号伝達された後、以下の工程を含むことを特徴とする。その工程は、
アクセスプロファイルを携帯端末によりステーションに宣言し、それによりアクセスプロファイルがステーション及び携帯端末間の通信を調整し、
メッセージをステーションから携帯端末に送信して端末に端末の識別子をステーションに送るよう指示し、
携帯端末の識別子をステーションから管理手段へ電気通信網を通じて送信し、管理手段が携帯無線端末の識別子を認証したとき、ステーションが管理手段によって起動する。
【００１４】
ステーションの起動に関し、端末を持つユーザーはステーションの電話番号又はアドレスを知る必要はない。例えば、ユーザーは自分の端末のメインメニューの項目を選択すれば十分であり、最も近いステーションを方向付ける又はステーションと直接通信できる。
【００１５】
本発明の背景において、携帯無線端末は携帯無線電話端末、又は短距離無線発信−受信手段が提供される持ち運びのできるマイクロコンピュータ又はＰＤＡ型の任意の他の持ち運びできるもの、又は電話と短距離無線電話を合わせたデュアルモード携帯端末でありうる。ステーションは携帯端末により公表されたアクセスプロファイルに合うように適合される。
【００１６】
第２の実施形態の第１の変形において、携帯端末はデュアルモード端末であって、それは電気通信網に接続する無線電話ネットワークと無線電話通信するため又は周波数帯域が無線電話ネットワークのそれより好ましくは高い前記無線リンクを用いてステーションと通信するための端末である。
【００１７】
管理手段は携帯電話ネットワークの家庭用の名目上の位置確認手段の少なくとも一部に含まれうる。
【００１８】
第２の変形において、携帯端末は２０〜３０メートルの範囲の短距離無線端末であって、例えばＰＤＡ又は持ち運びできるマイクロコンピュータのようなものである。
【００１９】
その型にかかわらず、管理手段による端末の識別子の認証に続いてステーションは起動されるが、それは端末の認証された識別子に関連し管理手段から送信されるユーザープロファイルによるステーションの機能の個人化という機能として起動する。管理手段はステーションを管理し電気通信網に接続する携帯電話ネットワーク又はサーバの家庭位置レジスタとなりうる。
【００２０】
好ましくは、管理手段による端末を持つユーザーの認証は、ステーションの機能の個人化の前に提供される。
【００２１】
本発明によるステーションは双方向性の電気通信サービスをステーションの前に立つ任意のユーザーに配信する。ステーションは従来のステーションのように直接的に、又は携帯端末を経由してユーザーにアクセスできる。提供されるサービスの範囲は特に標準電話とテレビ電話サービス及びサーバ、具体的にはインターネット及び電子メールサーバの相談に及ぶ。上記リストは包括的なものではなく、電気通信網上で利用できる新たなサービスを付加することにより広がりうる。
【００２２】
ステーションの使用は主として具体的に電気通信サービスにアクセスしたいと願うモバイルユーザーの要求に応えるものであり、その電気通信サービスとは、例えばユーザーが会社で役に立つものと同等又はそれと比較してさらに質的に向上したものである。
【００２３】
本発明は、携帯無線端末から起動され、表示手段、電気通信網に接続する回線インターフェース手段及び特定地域の無線受信可能領域を提供する無線リンクを用いて携帯端末とデータ交換を行う無線対話手段を含み、無線受信可能領域内の携帯端末の存在を定期的に探査する双方向性のステーションに関する。本発明は以下のことを特徴とする。
【００２４】
双方向性のステーションは、端末のアクセスプロファイルを保存して、特定地域の無線受信可能領域内の端末の存在をステーションに信号伝達された後に、携帯端末によりステーションへ公表されたアクセスプロファイルがステーションと携帯ステーション間の通信を調整する手段を含み、
ステーション内の無線対話手段が、携帯端末にメッセージを送信して端末の識別子を送信するよう指示し、
回線インターフェース手段が携帯端末の識別子を電気通信網を通じて管理手段に送り、管理手段が携帯無線端末の識別子を認証したとき、ステーションが管理手段により起動する。
【００２５】
携帯無線端末ユーザーにとって、ステーションは双方向性の端末としての役目を果たす。その双方向性の端末は、携帯端末により提供されるものと比較してさらに大きく改良された人間工学的な特徴を伴った広い範囲のサービスを提供する。従って、情報サーバの相談はステーションの使用により携帯端末と比較して特に改良されている。ユーザーは見慣れた環境という利益を有する。双方向性は、第１にタッチセンシティブスクリーン上のキーを使用すること、第２にマイクロコンピュータのような標準スクリーンにより提供される機能を、改良することにより再現したスクリーンの品質のおかげで自然になった。この人間工学的特徴はステーションに含まれるオーディオ手段の指向性を調節する手段によりさらに改良される。
【００２６】
ステーションは、高いビットレートでの電気通信網へのアクセスを提供し、それは高い情報ビットレートを必要とするサービスを変更するのに適合する。様々な電気通信網へのアクセスは決して特定用途のためではない。従って、ステーションは新しいサービスの有効性及びユーザーの期待に応じて新しいサービスを受け入れることができる。
【００２７】
電気通信サービスを提供することに加え、ステーションは復合的な使用端末のようにふるまう。一方では、このステーションは電気通信サービスのための固定知的端末の役割を果たすが、また広告又は特定地域の興味を起こさせる情報を表示しうる。この第２の機能はステーションがユーザーによって起動されていないときでも利用できる。
【００２８】
本発明の他の特徴及び利点は対応する添付の図面に関連して、以下の本発明のいくつかの好ましい実施形態の記述を読むことによってさらに明らかとなる。
【００２９】
【発明の実施の形態】
本発明による双方向性のマルチメディアステーションＢＮの完全な実施形態は、ユーザーに見えるステーションの設備に関しては図１で、ステーションの内側の機能的な構造に関しては図２で図式的に示されている。
【００３０】
図１に示されるように、聴視覚手段が壁、例えばキオスクの壁、ビルの外壁又は家屋の内壁と一体化されうる。例えば、ステーションは駅、ショッピングモール、ホテル、郵便局などの混雑した場所に設置される。聴視覚手段は少なくとも１つの指向性送話器ＭＰ及び少なくとも１つの指向性拡声器ＨＰを含むオーディオ手段と、基本的にタッチセンシティブキーパッドＣＬを伴う表示装置スクリーンＥＣとカメラＣＡを含む映像手段を含む。キーパッドは好ましくは、ステーションのスクリーン上のメニューから選択できるナビゲーションキー又は「トラックボール」のような制御ボールと関連する。
【００３１】
オーディオ手段ＭＰ及びＨＰは指向性を持つので、ステーションＢＮの前に立つユーザーとこのステーションとの間で個々の対話ができる。電話通信の場合、ステーションのオーディオ手段が活性状態のとき、ユーザーは会話の秘密性に敏感である。従って低い音量でのみ聞くことができうる。ステーションＢＭは好ましくは、指向性調節回路ＲＤを含む。それはオーディオ手段ＭＰ及びＨＰの指向性を、ユーザーの身体的特徴、具体的にはユーザーの大きさ及びステーションの前の位置の関数として調節する。オーディオ手段の指向性はキーパッドＣＬのキーにより又は送話器ＭＰから送信される音声コマンドを検知する音声認識手段により調節される。
【００３２】
スクリーンの表示装置ＥＣはパソコンの高解像度の表示装置と同様で、立体的にはっきりと画像を示す。キーパッドＣＬのキーは、スクリーン上の画像表示を調節するのに使用される。カメラＣＡは、ステーションの前に立つユーザーの画像を取得してそれらを離れた相手方に送信し、従ってステーションをテレビ電話として使用する。
【００３３】
図１にも示されるように、ステーションＢＮは随意的にユーザー認証手段を含む。それはマイクロコントローラカードとしても知られ、接触又は非接触で、例えばテレホンカード、銀行カード又は電子財布といったＩＣカードを読み取る読み取り器ＬＣである。ユーザー認証手段は随意的に、カード読み取り器ＬＣに加えて又はその代わりにバイオメトリックセンサＣＢ、例えば指紋センサ又は虹彩センサを含む。ステーションは好ましくはさらにプリンタＩＭを装備し、それによりユーザーはスクリーンページのハードコピーを持っていくことができる。
【００３４】
従ってステーションはユーザーが携帯用の無線端末を持っているいないにかかわらず、復合的な双方向性の機能をユーザーに提供し、ＯＡ端末の機能及び人間工学的特徴を再現する。
【００３５】
図２に示されるように、ステーションＢＮは中央演算処理装置ＣＰＵの周りに組織化される。ＣＰＵは少なくとも１つのプロセッサを含み、それは内部のシステムバスＢＩにより、特に本発明によるステーションを起動し個人化するアプリケーションを含むＥＥＰＲＯＭ又はＳＲＡＭ型の非揮発性メモリＭＡと、特にキーパッドＣＬ、回線インターフェースＩＬ、及び無線インターフェースＩＲＡを経由してサーバ及び携帯端末を含むステーションの外の世界と交換されるデータを保存するＲＡＭ型のデータメモリＭＤに従来どおり接続する。内部のバスＢＩはまた、タッチセンシティブキーパッドＣＬ、カード読み取り器ＬＣ、バイオメトリックセンサＣＢ、プリンタＩＭ及びインターフェースＩＬ及びＩＲＡを供給する。中央演算装置ＣＰＵは従って、バスＢＩにより表示装置映像符号化−復号化回路ＣＤＶに接続し、映像符号化−復号化回路ＣＤＶはインターフェースＩＬ及びオーディオ符号化−復号化回路ＣＤＡと直結し、オーディオ符号化−復号化回路ＣＤＡはインターフェースＩＬ及びＩＲＡと直結する。
【００３６】
回線インターフェースＩＬはステーションＢＮを伝送回線ＬＧと接続し、回線ＬＧに関連する特定地域のネットワーク交換の終わりと一致する。例えば、回線インターフェースＩＬは従来通りモデム、好ましくは音声及び画像データをデジタル処理で多重送信する高速モデム、ＩＳＤＮ（総合デジタル通信網）モデム又はＡＤＳＬ（非対称デジタル加入者回線）モデムを含む。
【００３７】
本発明の第２の実施形態に適合するステーション用の無線インターフェースＩＲＡはアンテナＡＮを有し、それによりユーザーの少なくともひとつの携帯無線端末ＴＭ、例えば無線送受信モジュールＭＲＢが取り付けられているデュアルモード携帯電話、電子手帳ＰＤＡ、又は携帯用マイクロコンピュータと短距離の無線リンクＬＲＡにより接続できる。短距離の無線リンクＬＲＡは、特定地域の無線受信可能領域を提供し、通常はＤＥＣＴ（Ｄｉｇｉｔａｌ Ｅｎｈａｎｃｅｄ Ｃｏｒｄｌｅｓｓ Ｔｅｌｅｃｏｍｍｕｎｉｃａｔｉｏｎｓ）スタンダード、又はブルートゥース技術に適合する。それらの言及は以下に例としてあげられている。無線インターフェースＩＲＡは送受信された無線信号をアナログ方法及びデジタル方法で分割し、周波数を置き換え、変換する。
【００３８】
オーディオ符号化−復号化回路ＣＤＡは、送話器ＭＰで取り上げられたオーディオ信号をデジタル処理で符号化し、それらをインターフェースＩＬを経由して伝送回線ＬＧへ又はインターフェースＩＲＡを経由して無線リンクＬＲＡへ送信し、回線ＬＵ又はリンクＬＲＡから受信されたデジタル信号を復号し、それらを拡声器ＨＰに送信する。回路ＣＤＡはまた音声認識手段を含み、キーパッドＣＬを経由したコマンド入力の代わりに送話器ＭＰにより取り上げられたユーザーからの音声コマンドを符号化する。指向性調節回路ＲＤは、オーディオ符号化―復号化回路ＣＤＡと送話器ＭＰ及び拡声器ＨＰの組み合わせの間に接続される。
【００３９】
映像符号化−復号化回路ＣＤＶは主としてカメラＣＡから配信されたデジタル画像信号を圧縮し、圧縮画像信号をインターフェースＩＬを経由してユーザー回線ＬＧに送信し、逆にインターフェースＩＬを経由して回線ＬＧから受信した圧縮画像信号を解凍して、例えば遠隔の相手方の画像をスクリーンＥＣに表示する。回路ＣＤＶはまた、キーパッドＣＬ又は回路ＣＤＡによりスクリーン上の画像を表示するための調節にも加わる。後述されることであるが、例えばスクリーンＥＣはユーザーがステーションＢＮを経由して要求したサーバＳＤから出ていく情報を表示するのに使用される。
【００４０】
双方向性のマルチメディアステーションＢＮを起動する方法の第１の実施形態及び第２の実施形態の第１の変形は、一例として、携帯無線端末ＴＭが標準のＧＳＭ９００、ＤＣＳ１８００、又はＵＭＴＳ（全世界モバイル通信システム）携帯無線電話端末であるという想定のもとに以下記述されている。更なる具体性のため、これ以後の記述はＧＳＭ標準による携帯無線電話ネットワークＲＲのインフラ基盤を参照する。また、起動する間、端末ＴＭのユーザーが携帯端末ＴＭのオーディオ手段、送話器及びイヤホーンを使用し、それによりステーションＢＮがユーザーに図１に関連して最小の構造としてスクリーンＥＣ及びキーパッドＣＬを提供することを想定している。
【００４１】
図３に示される第１の実施形態において、ステーションＢＮはＳＭＳサービス（ショートメッセージサービス）により起動する。ショートメッセージサービスは携帯電話端末ＴＭと端末ＴＭのセルラー方式移動電話ネットワークＲＲの外側に存在するものとの間でショートメッセージを交換できる。外側の存在とは、ステーション管理サーバＳＢであって、それはセルラー方式無線電話ネットワークＲＲに関連するショートメッセージサーバＳＣ（ショートメッセージサービスセンター）の１つに接続する。
【００４２】
ショートメッセージサーバＳＣは少なくとも１つのモバイルサービススイッチＭＳＣと接続し、モバイルサービススイッチＭＳＣは、携帯電話ネットワークＲＲの固定ネットワークに直接又はＸ．２５又はＩＳＤＮ型中間ネットワークを経由して含まれる。
【００４３】
図３は図式的に及び一例として、ＧＳＭ電話ネットワークＲＲの主要手段を示しており、ＧＳＭ電話ネットワークＲＲは携帯無線電話端末ＴＭをいつでもショートメッセージサーバＳＣに接続する。主要手段は、無線電話リンクＬＲＴにより携帯電話端末ＴＭが現在位置する現在のセルを提供する現在の基地局ＢＴＳ、基地局制御装置ＢＳＣ及びすでに述べられたモバイルサービススイッチＳＭＣを含む。スイッチＭＳＣは訪問者の位置レジスタＶＬＲと関連し、訪問者の位置レジスタＶＬＲは、２〜３から２０〜３０のセルを含むネットワークＲＲの少なくとも１つの位置領域を管理し、その領域内のユーザーのプロファイルを一時的に保存する。
【００４４】
図３にも図式的に示される電気通信網ＲＴはステーションＢＮ、無線電話ネットワークＲＲの固定部分及びステーション管理サーバＳＢと接続する。ネットワークＲＴは一般に電気通信網は少なくとも図５に示されるような交換型電話ネットワークＲＴＣ及びインターネット型の高速ネットワークＲＨＤを含む電気通信網の一種を内蔵する。
【００４５】
ステーション管理サーバＳＢはステーションＢＮのアドレスＡＢＮを記載するデータベースを含むが、それは無線電話ネットワークＲＲが広がる領域内における画像座標ＣＢＮ、つまり緯度及び経度の関数として、もっと正確にいうとネットワークＲＲの位置領域の関数として含む。ステーション管理サーバＳＢはまた、ステーションＢＮのアドレスＡＢＮに関連して、最近、ステーションＢＮを使用したユーザーに関するユーザープロファイルＰＵも含む。
【００４６】
第１の実施形態において、携帯電話端末ＴＭからのステーションＢＮの起動は、基本的に３つの主要工程を含む。すなわち、初期化工程Ｅ１、携帯端末の位置確認工程Ｅ２、及び端末とステーションを接続する工程Ｅ３であり、各工程は、図４に示されるような下位工程を含む。
【００４７】
当業者には既知であるが、携帯電話端末ＴＭは非揮発性ＥＥＰＲＯＭがユーザーのプロファイルを保存する取り外し可能なユーザーＩＤカードＳＩＭ（加入者認証モジュール）を含み、それはモバイルユーザー国際番号ＭＳＩＳＤＮ（モバイルステーションＩＳＤＮ番号）、訪問者位置レジスタＶＬＲにより端末ＴＭに割り振られる一時的な識別子ＴＭＳＩ（一時的なモバイルステーション認証）、携帯端末ＴＭが一時的に位置し、スイッチＭＳＣに接続する基地局により広がるネットワークＲＲ内の位置領域識別子ＬＡＩ（位置領域認証）及びステーションサーバＳＢのアドレスＡＳＢを含む。ＳＩＭカードは本発明による双方向性のマルチメディアステーションＢＮの認証に関連するいかなる表示も含まない。
【００４８】
端末ＴＭからの双方向性のマルチメディアステーションの起動を要求するために、ユーザーは下位工程Ｅ１１において端末のキーパッド上の特定のキーを押す、又は主要メニューからマルチメディアステーション起動項目を選択する。この点に関してＳＩＭカードは積極的に携帯電話端末ＴＭの動作を初期化し、ＳＩＭアプリケーションツールキットとして知られる応答の際、簡約化した積極的なコマンドを構築する。
【００４９】
この起動要求の後、端末ＴＭは下位工程Ｅ１２でモバイルサービススイッチＭＳＣにショートメッセージＳＭ１を引き出して送信し、ショートメッセージＳＭ１は一時的な識別子ＴＭＳＩ又はモバイルユーザー番号ＭＳＩＳＤＮ形式の出所アドレス、ショートメッセージサーバＳＣのアドレスＡＳＣ形式及びステーションサーバＳＢのアドレスＡＳＢ形式の目的アドレス及び位置領域識別子ＬＡＩを含む。ユーザーのユーザープロファイルＰＵは、下位工程Ｅ１３においてメッセージＳＭ１に応答してレジスタＶＬＲ内で調べられ、一時的な識別子ＴＭＳＩがメッセージＳＭ１に含まれない場合にメッセージＳＭでユーザーの電話番号ＭＳＩＮ（モバイル加入者認証番号）又はＭＳＩＳＤＮ（モバイルステーションＩＳＤＮ番号）を受信する一時的な識別子ＴＭＳＩの代わりをし、ショートメッセージサーバアドレスＡＳＣを抽出してスイッチＳＭＣが少なくともパラメータＭＳＩＳＤＮ、ＡＳＢ及びＬＡＩを含む第２のショートメッセージＳＭ２を引き出す。
【００５０】
サーバアドレスＡＳＢは下位工程Ｅ１４において、ショートメッセージサーバＳＣにより受信されたメッセージＳＭ２から抽出され、番号ＭＳＩＳＤＮ及び位置領域識別子ＬＡＩを含むメッセージＭＥ１をステーションサーバＳＢに送信する。
【００５１】
主要工程Ｅ２において、ステーションサーバＳＢは識別子ＬＡＩにより識別される位置領域において端末ＴＭの位置確認を試み、端末ＴＭを持つユーザーを識別された位置領域内の最も近い双方向性のマルチメディアステーションＢＮのひとつに向けさせる。
【００５２】
位置確認工程の第１の変形において、ネットワークＲＲの各基地局はまた位置領域ＬＡにセル識別子ＣＩ（セル認証）を放送する。端末ＴＭはまた現在の基地局ＢＴＳに対応するセル識別子ＣＩをショートメッセージＳＭ１に取り入れる。現在の基地局ＢＴＳを提供するスイッチＭＳＣに関連するレジスタＶＬＲはセル識別子ＣＩを抽出し、それを現在の基地局ＢＴＳに対する緯度及び経度の地理的座標に合致させる。その地理的座標はこの第１の実施形態において端末ＴＭの近似の地理的位置座標ＣＴＭであると判断できる。座標ＣＴＭはまた、スイッチＭＳＣによりショートメッセージＳＭ２に、その後サーバＳＣによりメッセージＭＥ１に挿入され、ステーション管理サーバＳＢにより受信されたメッセージＭＥ１から抽出される。したがって、携帯端末ＴＭは現在のセルの識別子ＣＩの関数として位置し、そのセルに携帯端末は現在位置し、したがって携帯端末が通信する携帯電話ネットワーク基地局の地理的座標の関数として位置する。
【００５３】
位置領域ＬＡＩから受信される識別子を知ると、サーバＳＢはデータベースで位置領域内のステーションＢＮのリストを調べ、それらの地理的位置座標ＣＢＮと下位工程Ｅ２２ですでに決定された端末ＴＭの座標ＣＴＭと比較する。地理的座標ＣＢＮ及び／又は最も近いステーションＢＮのアドレスＡＢＮは下位工程Ｅ２３においてショートメッセージサーバＳＣにアドレス指定されるメッセージＭＥ３に取り入れられ、ショートメッセージサーバＳＣはショートメッセージ形式で端末ＴＭに転送する。その後下位工程Ｅ２４において、端末は座標ＣＢＮ及び／又は最も近いステーションのアドレスＡＢＮを表示する。実際、座標ＣＢＮはステーション及び端末の現地状況のレベルで表示される及び／又は表示されたアドレスＡＢＮはステーションＢＮが位置する番地、通り及び街を含み、及びアドレスＡＢＮ、おそらく一緒に電話番号又はインターネットネットワークにおけるステーションのＩＰアドレスも含む。
【００５４】
代案として、最も近いステーションＢＮの地理的座標及びアドレスを送信する代わりに、ステーション管理サーバＳＢがメッセージＭＥ２で端末ＴＭに最も近い２つか３つの双方向性のマルチメディアターミナルのアドレスといった位置座標を送信し、すべてのパラメータを表示してユーザーがステーションのうちの１つへ向かうまで残しておき、そのステーションを起動する。
【００５５】
位置確認工程の第２の変形において、携帯端末ＴＭは位置三角形により、すなわち現在の基地局を含む認証された位置領域において３つの隣接する基地局のそれぞれの信号出力及び伝達時間を測定することにより位置確認される。３つの基地局は、現在の基地局に関連するリストから選択され、端末の呼び出しを維持するのに十分なレベルの出力を有する。端末及び３つの選択された基地局間の距離は現在のステーションが依存するスイッチＭＳＣ内で計算される。この方法でスイッチＭＳＣで緯度及び経度が決定された携帯端末ＴＭの地理的位置座標ＣＴＭは、下位工程Ｅ１４とＥ２２間の下位工程Ｅ２１においてステーション管理サーバＳＢがメッセージＭＥ２をスイッチＭＳＣと交換することにより要求及び収集される。
【００５６】
位置確認工程の第３の変形において、現在の基地局で携帯端末ＴＭを地理的に位置確認する代わりに、携帯端末ＴＭそれ自体が三角形により、すなわち携帯端末ＴＭが現在の基地局及び２つの隣接する基地局から受信する出力レベルを測定することによりその位置を決定する。それら基地局は最も高い出力レベルを有し、３つの基地局の地理的座標を収集する。それは現在の基地局により定期的に送られる所定のチャンネル、例えばＧＳＭ標準によるチャンネルＢＣＣＨ（ブロードキャストコントロールチャンネル）上の位置領域ＬＡの基地局の地理的座標を定期的に広めるおかげである。この変形において、下位工程Ｅ１２で端末ＴＭは地理的座標ＣＴＭをショートメッセージＳＭ１に取り入れる。下位工程Ｅ１４において、ステーションサーバＳＢはメッセージＭＥ１から位置領域識別子ＬＡＩとともに端末の座標ＣＴＭを抽出し、下位工程Ｅ２２において端末ＴＭに最も近いステーションを検索し、それに下位工程Ｅ２３及びＥ２４が続く。
【００５７】
位置確認工程の第４の変形において、端末ＴＭの地理的座標ＣＴＭはＧＰＳシステム（全地球測位システム）として知られる静止衛星誘導システムという手段で決定され、それは携帯端末ＴＭに組み入れられる。そのシステムも地理的座標ＣＴＭを提供し、それにより端末ＴＭそれ自体が工程Ｅ１２においてメッセージＳＭ１に地理的座標ＣＴＭを取り入れる。従って、それは位置確認工程の第３の変形として処理される。
【００５８】
位置確認工程の上記すべての変形において、認証領域ＬＡにステーションが位置しない場合、サーバＳＢはエラーメッセージをサーバＳＣを経由して端末ＴＭに送信し、少なくとも１回起動要求を繰り返す又はユーザーに少なくとも１つの双方向性のマルチメディアステーションを含むような領域に移動するよう指示する。
【００５９】
下位工程Ｅ２４の後、ステーション管理サーバＳＢはユーザーに最も近いステーションで又は最も近いステーションのうちの１つで端末ＴＭの識別子をダイヤルするよう指示し、ダイヤルを指示するメッセージＭＥ４を起動していない、すなわちユーザーと双方向対話ができる最も近いステーションに送信する。メッセージＭＥ４の内容は、下位工程Ｅ３１でこれら端末のスクリーンＥＣ上に表示される。最も近いステーション又は最も近いステーションのうちの１つのタッチセンシティブキーパッドＣＬを使用して、ユーザーは下位工程Ｅ３２において端末の識別子、例えば電話番号ＭＳＩＳＤＮを入力する。その後、下位工程Ｅ３３において、ステーションＢＮは番号ＭＳＩＳＤＮを含むメッセージＭＥ５をステーションサーバＳＢに送信し、ステーションサーバＳＢは下位工程Ｅ３４においてその番号をすでに保存されメッセージＭＥ１から抽出された番号ＭＳＩＳＤＮと比較する。比較された２つの番号が同一である場合、ステーション管理サーバＳＢは識別子ＭＳＩＳＤＮを認証し、下位工程Ｅ３５においてステーション起動メッセージをステーションＢＮに送信し、それによりユーザーは以下に示されるユーザー認証及び端末の個人化の後、端末を使用することができる。
【００６０】
さもなければ、サーバＳＢはユーザーにもう一度ステーションＢＮのキーパッドＣＬ上への番号ＭＳＩＳＤＮの入力を指示し、番号を入力する試みが２，３度失敗に終わった後ステーションＢＮを起動しないまま保持する。
【００６１】
図２に示されるステーションＢＮの無線インターフェースＩＲＡは図４に関連してすでに記述された第１の実施形態によるステーションの起動の実行に使用されていない。従ってステーションは無線電話ネットワークＲＲ及びサーバＳＢにより起動され、携帯端末ＴＭへの直接のリンクを伴わない。
【００６２】
本発明によるステーション起動方法の第２の実施形態において、無線インターフェースＩＲＡはブルートゥース無線通信技術を使用する無線リンクＬＲＡを経由して、小さいブルートゥース無線発信−受信モジュールＭＲＢを含む携帯端末ＴＭと通信できる。モジュールＭＲＢは無線インターフェースと、表示部、キーパッド及びオーディオ回路を含む端末ＴＭのマンマシンインターフェースを共有するマイクロコントローラを含み、マイクロコントローラはネットワークＲＲとともに無線電話呼び出しを管理する。第２の実施形態の第１の変形において、端末ＴＭは、デュアルモード携帯無線電話端末であって、例えば、セルラー方式無線電話ネットワークＲＲ又は短距離の無線リンクＬＲＡを経由して通信できる、さもなければ、第２の実施形態の第２の変形において、持ち運びできるマイクロコンピュータ、個人用ステレオ又はＰＤＡといった携帯無線電話端末はモジュールＭＲＢを含み、短距離の無線リンクＬＲＡを経由してしか通信できない。短距離の無線リンクＬＲＡは、ＤＥＣＴ型又はブルートゥース型であって、後者の型は例として以下で言及される。
【００６３】
ブルートゥースモードは、専用キーを押すことにより又は端末のスクリーン上で表示されすでに言及された送信モードを含む主要メニューから項目を選択することにより携帯電話端末ＴＭで選択される。
【００６４】
ブルートゥース無線送信モードは、狭い周波数帯域の無線リンクと関係がある。その帯域は通常２．４５ギガヘルツの周波数に中心をもち、無線電話ネットワークＲＲに対する周波数帯域よりかなり高く、ステーションにより送信されるほぼ２０ｄＢｍの出力レベルに対して約５０又は１００メートルより少ない短距離の無線受信可能範囲を有する。ブルートゥースリンクＬＲはデジタル処理された音声データを含むデータを、例えば７２１ｋｂｉｔ／ｓのビットレートでステーションＢＮから端末ＴＭの下り回線を転送し、５７ｋｂｉｔ／ｓの低いビットレートで端末ＴＭからステーションＢＮへの上り回線を転送する。リンクＬＲＡは図５に図式的に示されるように、同時に復数の多重送信されたデータ通信デジタルチャンネルをステーションの近くに位置するＩ個の携帯電話端末ＴＭ１からＴＭＩとステーションＢＮ間の各送信方向に支持する。整数Ｉは通常７に等しい。さらに、Ｉ個のデジタルチャンネル、つまりＪ個の携帯端末とステーションＢＮ間の復数の電話通信チャンネルは、Ｊ＜Ｉであって、通常Ｊ＝３であるが、無線リンクＬＲＡにより同時に支持され、携帯端末とステーションＢＮを経由する切り換え型電話ネットワークＲＴＣ間の一斉の電話呼び出しを提供する。
【００６５】
ブルートゥースリンクＬＲＡの主な利点の１つは、直接、ステーションＢＮ短距離の無線リンクを経由して端末ＴＭ１とＴＭＩが通信できる能力であり、それはネットワークＲＲといった電気通信網を通過することなく、また赤外線通信のように、ステーションの可視の直接線をもうける必要がない。これにより、ステーションの前で携帯端末を移動できる。
【００６６】
ステーションＢＮを起動して、リンクＬＲＡのデジタルチャンネルの１つに、ＴＭ１からＴＭＩまでの携帯端末、以下ＴＭと表示、の１つで呼び出しを始めることが、図６及び図７に関連して以下に記述されている。この起動の間、局部的な装置としての役目を果たすステーションＢＮは接続に対して主導権を取るという点でマスターであり、携帯端末ＴＭは、遠隔装置、すなわちブルートゥース標準に適合する携帯用電子通信装置としての役目を果たし、スレーブである。起動の間、ステーションＢＮのスクリーンＥＣ及びタッチセンシティブキーパッドＣＬと携帯端末ＴＭを介してのユーザーとの間に相互作用は存在しない。
【００６７】
携帯無線端末ＴＭによるステーションＢＮの起動は工程Ｓ１からＳ９を含む。最初に、デジタル通信チャンネルの少なくとも１つが利用でき、ステーションＢＮが定期的に半径２０〜３０メートルの無線受信可能領域における携帯電話ＴＭの存在を探査し、端末ＴＭはブルートゥース送信モードを選択する。これは図６の工程Ｓ１に示されている。従って、ユーザーが端末ＴＭ上でブルートゥースモードを選択した場合、ステーションは定期的に問い合わせを送信し、端末がまだそこにいない場合、端末ＴＭがステーションＢＮの無線受信可能領域に入ったとたんにその存在を信号伝達する。その存在を信号伝達するために、端末は問い合わせに対する応答を、問い合わせを認識したらすぐに次の工程Ｓ２で送信する。続く工程Ｓ２からＳ５において、その後携帯端末ＴＭは、端末のブルートゥースモードに関連してマイクロコントローラに事前保存されメッセージプロトコルを画定するアクセスプロファイルに従いステーションＢＮと接続する。このアクセスプロファイル（包括的アクセスプロファイル）はステーションに公表され、ステーション及び端末間の呼び出しを調整する。ステーションＢＮのメモリＭＡは、すでにすべての端末のプロファイルを保存している。例えば、携帯端末が本当にコードレス電話である場合、そのプロファイルはコードレス電話にふさわしいものであり、この事例において、上記で定義されたデュアルモード無線電話端末は、携帯無線端末がマイクロコンピュータ又は電子手帳といった持ち運びできるものである場合であっても、プロファイルは例えばファイル同期化サービスに組み込まれる。従って、端末ＴＭはステーションを発見して起動する際、工程Ｓ２の検索モード（発見モード）であり、ステーションを経由して接続に対する要求を受け取る。
【００６８】
問い合わせに対する応答を受信する際、ステーションＢＮは工程Ｓ３において呼び出しメッセージを送信する。その後工程Ｓ４において、端末ＴＭがそのアクセスプロファイルの型を宣言する呼び出し応答を送信する。それは端末がプロファイルに従いステーションと接続を始めたい旨をステーションに確認するものである。次の工程Ｓ５において、ステーションＢＮは端末ＴＭが続いてデータメッセージを構成し送信するように送信指示（プール）メッセージを送る。
【００６９】
接続を構築しステーションＢＮと端末ＴＭ間でデータを転送する図６及び図７に示されるやりとりは、ＳＰＤサービス発見プロトコルを採用する。それはステーションの処理装置ＣＰＵ及び携帯端末ＴＭのブルートゥース無線モジュールＭＲＢを管理するマイクロコントローラで実行される。
【００７０】
図６に関連して記述されたリンク構築手続の後、端末ＴＭはデータをステーションＢＮに転送する。この転送のために、ステーション及び端末は包括的なオブジェクト交換プロファイル及びファイル転送プロファイルを支持し、端末からステーションへ１つ又はそれ以上のファイルを転送する。端末からの少なくとも１つのファイルはステーションへ転送され、ステーションにより提供されるサービスにアクセスする。
【００７１】
図７に示されるように、端末ＴＭからステーションへデータファイルを転送することは、次の工程Ｓ６、Ｓ７及びＳ８を含む。ステーションＢＮ及び端末ＴＭは、図６に示される構築手続の後は接続状態なので、ステーションＢＮは工程Ｓ６においてリンクＬＲＡを通じて端末ＴＭに接続要求を送信する。端末ＴＭはその後工程Ｓ７においてステーションが様々なパラメータの定義を含むデータ要求（ゲットリクエスト）の準備をするよう接続応答を送信する。そのパラメータは端末が再送信しなければならないもので、端末の識別子を含む。従って工程Ｓ８のデータ要求の応答において、端末ＴＭは要求された様々なパラメータと転送されるファイルのデータを含む応答メッセージを構築して送信する。
【００７２】
携帯端末ＴＭからステーションＢＮへ転送されるパラメータは、少なくとも端末ＴＭの読み取り専用メモリ内のユーザー識別ＩＤを含む。それは、携帯端末がデュアルモード無線電話端末である場合、ユーザー国際識別子ＩＭＳＩ（国際モバイル加入者認証）及び／又はユーザーの国際電話番号ＭＳＩＳＤＮと同様のものである。ユーザー識別ＩＤはユーザーと１つ又はそれ以上のサービスを画定するサービスプロファイルを合致させる。そのサービスに対しユーザーはステーションでのアクセスを要求し、ユーザーが双方向性のステーションを管理するオペレータと契約を取り決める際ユーザープロファイルＰＵに左右される。
【００７３】
工程Ｓ８における識別子ＩＤ、ＩＭＳＩ及びＭＳＩＳＤＮといったデータ送信指示に続き、ステーションＢＮは工程Ｓ９において端末ＴＭから識別子を受け取り、工程Ｓ１０において電気通信網ＲＴを経由して管理手段にアドレスＡＢＮとともにその識別子を再送信する。原則としてすべての端末に対し、管理手段は図３に関連してすでに記述されたステーション管理サーバＳＢから成る。しかしながら、無線電話端末に対するアクセスプロファイルをステーションに通信していた携帯電話端末に対しては、ステーションは代わりに識別子を無線電話ネットワークＲＲの家庭位置レジスタＨＬＲに再送信する。
【００７４】
ステーション管理サーバＳＢ又はレジスタＨＬＲは、この方法で識別された、好ましくは以下に説明される方法で認証されたユーザーがステーションＢＮを経由してサービスにアクセスする権利を有することを、第１の実施形態における工程Ｅ３４のように立証する。ステーションを経由して端末ＴＭから受け取られた識別子が正当であると確認すると、サーバＳＢ又はレジスタＨＬＲは工程Ｓ１１において起動メッセージをステーションＢＮに送信する。
【００７５】
図４に示される第１の実施形態の接続工程Ｅ３の後、又は図７に示される第２の実施形態のデータ転送工程Ｓ６からＳ１０の後、端末ＴＭを持つユーザーは、工程Ｅ３４、Ｓ１０で端末に取り付けられた識別子ＩＤ又はＩＭＳＩ又はＭＳＩＳＤＮを比較することに加え、例えばサーバＢＳ又はレジスタＨＬＲのユーザープロファイルＰＵにすでに保存され、第１の実施形態の工程Ｅ３２又は第２の実施形態の工程Ｓ９でステーションＢＮの読み取り器ＬＣに挿入されたＩＣカードから読み取られるユーザーのメモリカードの暗号といったユーザーのさらに個人化された識別子により認証される。同様に、携帯端末ＴＭを持つユーザーは、レジスタＨＬＲのユーザープロファイルＰＵにすでに保存されているバイオメトリックプリントをステーションＢＮのバイオメトリックセンサＣＢを経由して知覚されたユーザーのバイオメトリックプリントと比較することにより認証されうる。
【００７６】
認証に続き、ユーザーにより要求されたサービスの型を表すデータがサーバＳＢ又はレジスタＨＬＲによりステーションへ転送され、その機能を個人化する。ユーザーが第１の実施形態の工程Ｅ３４及び第２の実施形態の工程Ｓ１０において携帯端末ＴＭによりステーションＢＮに転送された識別子ＩＤ又はＭＳＩＳＤＮ又はＩＭＳＩにより識別されたことが呼び戻される。
【００７７】
その後ステーションＢＮの個人化Ｐは管理手段、すなわちステーション管理サーバＳＢ及び／又は無線電話ネットワークＲＲの家庭位置レジスタＨＬＲにより後押しされる。それは識別子が工程Ｅ３４又はＳ１１で認証された後のことである。具体的に、サーバＳＢ又はレジスタＨＬＲは識別子ＩＤ、ＩＭＳＩ又はＭＳＩＳＤＮにより認識されたユーザーが本発明による双方向性のマルチメディアステーションを使用する契約を取り決めることを認証し、ステーションＢＮにユーザーの合意に基づくユーザープロファイルＰＵを再送信し、ステーションを個人化する。
【００７８】
原則として、最も包括的な合意はステーションを双方向性の端末へと変化することに対応し、モバイルオフィスのすべての機能を提供する。
【００７９】
ステーションはユーザープロファイルＰＵで読み取られる個人化データに従い構成され、例えば
最も頻繁に呼ばれる相手方、つまり好ましいサイト、具体的にはインターネットサイト、最も頻繁に使用されるオフィスオートメーションアプリケーションなどへの「ショートカット」を含み、これら様々なサービスへのアクセスは、それぞれ例えば起動しているステーションＢＮのスクリーンＥＣ上のアイコンにより表示され、
ステーションＢＮで実行されるブラウザを経由して、又はブラウザを動かすアプリケーションを経由してアクセスできるお気に入りのアドレスＵＲＬ（ユニバーサル・リソース・ロケーター）のリスト、
電話ネットワーク上及び／又は専用ネットワーク又はインターネット上のすべての相手方のディレクトリと電話ネットワーク、専用ネットワーク又はインターネットとそれぞれ通信できるアプリケーションにより直接アクセスできるサブディレクトリ、
電子メールアドレスのディレクトリ及び
ユーザーの合意に基づくプロファイルＰＵにより認証されるオフィスオートメーションアプリケーションのリストを含む。
【００８０】
さらに、ステーションＢＮはメモリＭＤ内にユーザーが様々な書類、ファイル及び個人的なメッセージを保存する個人的なメモリスペースを保持する。これらは好ましくはツリー構造に組織化され、ユーザーが書類、ファイル又はメッセージをクリックするとそれを処理するための対応するアプリケーションがワードプロセッサ、表計算ソフトなどといった類似方法で立ち上がる。任意のオフィスオートメーションアプリケーションは好ましくはステーション専用サーバからステーションに、例えばアプリケーションの使用周波数の関数としてダウンロードされる、さもなければユーザーによりスイッチを切られるまでステーションにとどまる。
【００８１】
上述された構造に続き、ユーザーは自身のプロファイルにより画定されたステーション内の手段を使用し、選択され呼び出された端末ＴＤ又は選択され呼び出された情報サーバＳＤと通信する。
【図面の簡単な説明】
【図１】壁と一体化した本発明による双方向性のマルチメディアステーションの正面図である。
【図２】前述したすべての実施形態に有効なステーションの概略的なブロック図である。
【図３】本発明の第１の実施形態に適合するショートメッセージサーバ及びステーション管理サーバを経由する携帯無線電話端末とステーション間のリンクの概略的なブロック図である。
【図４】第１の実施形態に適合するステーションを起動するためのアルゴリズムを示している。
【図５】ステーションを起動するための本発明による第２の実施形態に適合する復数の携帯無線端末のステーションへのリンクの概略的なブロック図である。
【図６】ステーションを起動する本発明による方法の第２の実施形態に適合する接続を構築するアルゴリズムを示している。
【図７】ステーションを起動する本発明による方法の第２の実施形態に適合するデータ転送を要求するアルゴリズムを示している。
【符号の説明】
ＭＰ　指向性送話器
ＣＡ　カメラ
ＨＰ　指向性拡声器
ＢＮ　双方向性のマルチメディアステーション
ＬＣ　読み取り器
ＣＢ　バイオメトリックセンサ
ＩＭ　プリンタ
ＥＣ　表示装置スクリーン
ＣＬ　タッチセンシティブキーパッド
ＴＭ　携帯電話端末
ＬＧ　伝送回線
ＲＴ　電気通信網
ＡＮ　アンテナ
ＣＤＶ　映像符号化−復合化回路
ＩＬ　回線インターフェース
ＣＤＡ　オーディオ符号化−復合化回路
ＲＤ　指向性調節回路
ＬＲＡ　無線電気リンク
ＭＲＢ　無線送受信モジュール
ＭＡ　非揮発性メモリ
ＭＤ　データメモリ
ＢＴＳ　基地局
ＲＲ　無線電話ネットワーク
ＢＳＣ　基地局制御装置
ＨＬＲ　管理手段
ＭＳＣ　モバイルサービススイッチ
ＶＬＲ　位置レジスタ
ＭＥ１、ＭＥ２、ＭＥ３、ＭＥ４、ＭＥ５　メッセージ
ＳＣ　ショートメッセージサーバ
ＳＢ　ステーション管理サーバ
ＲＨＤ　インターネット型高速ネットワーク
ＲＴＣ　交換型電話ネットワーク
ＴＤ　端末
【国際調査報告】
2004504743.tif 000053
2004504743.tif 000054
2004504743.tif 000055
2004504743.tif 000056